(57)【特許請求の範囲】
【請求項１】
表示手段と、
画像情報格納手段と、
前記画像情報格納手段の画像情報格納領域に格納された複数の画像情報の各々についての各詳細情報、および前記画像情報の少なくとも一部を識別するための各識別用画像を表示手段に表示させる表示制御手段と、
前記表示手段に詳細情報および識別用画像の各表示領域を形成する表示領域形成手段とを備え、
前記表示制御手段は、前記詳細情報を前記詳細情報表示領域に表示させ、前記識別用画像を前記識別用画像表示領域に表示させるものであり、
さらに、前記詳細情報と識別用画像との何れか一方について前記表示手段の表示画面上において表示順序が変更されたときに、同一の画像情報についての詳細情報と識別用画像とがそれぞれ詳細情報と識別用情報との並びにおいて同一の表示順序となるように、他方の表示順序を設定する連動表示制御手段と、
前記の画像情報格納領域に格納された各画像情報についての管理テーブルとを備え、
上記管理テーブルには前記詳細情報と識別用画像とに共通の表示順序が設定され、
前記の連動表示制御手段は、先に行われた一方の表示順序の変更に基づいて上記管理テーブルにおける表示順序を書き替えるとともに、書き替えた表示順序に基づいて表示手段での他方の表示順序を変更することを特徴とする画像情報処理装置。
【請求項２】
表示手段と、
画像情報格納手段と、
前記画像情報格納手段の画像情報格納領域に格納された複数の画像情報の各々についての各詳細情報、および前記画像情報の少なくとも一部を識別するための各識別用画像を表示手段に表示させる表示制御手段と、
前記表示手段に詳細情報および識別用画像の各表示領域を形成する表示領域形成手段とを備え、
前記表示制御手段は、前記詳細情報を前記詳細情報表示領域に表示させ、前記識別用画像を前記識別用画像表示領域に表示させるものであり、
さらに、前記詳細情報と識別用画像との何れか一方について前記表示手段の表示画面上において表示順序が変更されたときに、同一の画像情報についての詳細情報と識別用画像とがそれぞれ詳細情報と識別用情報との並びにおいて同一の表示順序となるように、他方の表示順序を設定する連動表示制御手段を備え、
前記画像情報格納手段には複数の画像情報格納領域が設けられ、
前記表示制御手段は、複数の前記画像情報格納領域に格納された複数の画像情報の各々についての各詳細情報および各識別用画像を表示手段に一括表示させる一括表示制御手段を備えていることを特徴とする画像情報処理装置。
【請求項３】
前記の画像情報格納領域に格納された各画像情報についての管理テーブルを備え、この管理テーブルには前記詳細情報と識別用画像とに共通の表示順序が設定され、
前記の連動表示制御手段は、先に行われた一方の表示順序の変更に基づいて上記管理テーブルにおける表示順序を書き替えるとともに、書き替えた表示順序に基づいて表示手段での他方の表示順序を変更するものであることを特徴とする請求項２に記載の画像情報処理装置。
【請求項４】
前記詳細情報がこの情報についての複数の項目を含んでおり、
前記項目に示される情報に基づいて各詳細情報の表示順序を表示手段の表示画面上において並べ替える項目別並べ替え手段をさらに備えていることを特徴とする請求項１又は２に記載の画像情報処理装置。
【請求項５】
入力手段を備え、
前記表示制御手段は、前記入力手段からの入力に基づいて前記識別用画像を抽出するとともに、抽出した識別用画像を前記表示手段に表示させる抽出表示制御手段を備えていることを特徴とする請求項１又は２に記載の画像情報処理装置。
【請求項６】
入力手段を備え、
前記表示制御手段は、前記入力手段からの入力に基づいて詳細情報を抽出するとともに、この抽出動作において抽出されなかった詳細情報を、選択不可の状態に設定し、かつこの状態を示す選択不可表示により前記表示手段に表示させる抽出表示制御手段を備えていることを特徴とする請求項１又は２に記載の画像情報処理装置。
【請求項７】
前記抽出表示制御手段は、前記抽出動作において抽出された詳細情報を詳細情報の並びの先頭側位置に表示させ、抽出されなかった詳細情報を詳細情報の並びの後方側位置に表示させるものであることを特徴とする請求項６に記載の画像情報処理装置。
【請求項８】
前記抽出表示制御手段は、抽出する詳細情報と識別用画像との少なくとも一方を選択するために、前記表示制御手段にて表示された詳細情報を前記入力手段により選択することを可能とする直接選択手段を備えていることを特徴とする請求項５から７の何れかに記載の画像情報処理装置。
【請求項９】
前記抽出表示制御手段は、前記入力手段により入力された検索条件に基づいて前記詳細情報と識別用画像との少なくとも一方の抽出を行う検索手段を備えていることを特徴とする請求項５から７の何れかに記載の画像情報処理装置。
【請求項１０】
前記画像情報格納手段には複数の画像情報格納領域が設けられ、
前記表示制御手段は、複数の前記画像情報格納領域に格納された複数の画像情報の各々についての各詳細情報および各識別用画像を表示手段に一括表示させる一括表示制御手段を備えていることを特徴とする請求項１に記載の画像情報処理装置。
【請求項１１】
前記識別用画像は前記画像情報の縮小画像であることを特徴とする請求項１から１０の何れかに記載の画像情報処理装置。
【請求項１２】
画像情報の格納領域に格納された複数の画像情報の各々についての各詳細情報、および前記画像情報の少なくとも一部を識別するための各識別用画像を表示手段に表示させる詳細情報・識別用画像表示手順と、
前記詳細情報と識別用画像との何れか一方について前記表示手段の表示画面上において表示順序が変更されたときに、同一の画像情報についての詳細情報と識別用画像とがそれぞれ詳細情報と識別用情報との並びにおいて同一の表示順序となるように、他方の表示順序を設定する連動表示手順とを備えると共に、
前記表示手段に詳細情報および識別用画像の各表示領域を形成する手順をさらに備え、
前記詳細情報・識別用画像表示手順は、前記詳細情報を前記詳細情報表示領域に表示させ、前記識別用画像を前記識別用画像表示領域に表示させるようになっており、
かつ、前記の画像情報格納領域に格納された各画像情報についての管理テーブルを作成し、この管理テーブルに前記詳細情報と識別用画像とに共通の表示順序を設定し、
前記の連動表示手順では、先に行われた一方の表示順序の変更に基づいて上記管理テーブルにおける表示順序を書き替えるとともに、書き替えた表示順序に基づいて表示手段での他方の表示順序を変更することを特徴とする画像情報処理方法。
【請求項１３】
画像情報の格納領域に格納された複数の画像情報の各々についての各詳細情報、および前記画像情報の少なくとも一部を識別するための各識別用画像を表示手段に表示させる詳細情報・識別用画像表示手順と、
前記詳細情報と識別用画像との何れか一方について前記表示手段の表示画面上において表示順序が変更されたときに、同一の画像情報についての詳細情報と識別用画像とがそれぞれ詳細情報と識別用情報との並びにおいて同一の表示順序となるように、他方の表示順序を設定する連動表示手順とを備えると共に、
前記表示手段に詳細情報および識別用画像の各表示領域を形成する手順をさらに備え、
前記詳細情報・識別用画像表示手順は、前記詳細情報を前記詳細情報表示領域に表示させ、前記識別用画像を前記識別用画像表示領域に表示させるようになっており、
かつ、前記詳細情報・識別用画像表示手順は、複数の前記画像情報格納領域に格納された複数の画像情報の各々についての各詳細情報および各識別用画像を表示手段に一括表示させる一括表示手順を備えていることを特徴とする画像情報処理方法。
【請求項１４】
前記の画像情報格納領域に格納された各画像情報についての管理テーブルを作成し、この管理テーブルに前記詳細情報と識別用画像とに共通の表示順序を設定し、
前記の連動表示手順では、先に行われた一方の表示順序の変更に基づいて上記管理テーブルにおける表示順序を書き替えるとともに、書き替えた表示順序に基づいて表示手段での他方の表示順序を変更することを特徴とする請求項１３に記載の画像情報処理方法。
【請求項１５】
前記詳細情報がこの情報についての複数の項目を含んでおり、
前記項目に示される情報に基づいて各詳細情報の表示順序を表示手段の表示画面上において並べ替える項目別並べ替え手順を備えていることを特徴とする請求項１２又は１３に記載の画像情報処理方法。
【請求項１６】
前記詳細情報・識別用画像表示手順は、前記識別用画像を抽出し、抽出した識別用画像を前記表示手段に表示させる抽出表示手順を備えていることを特徴とする請求項１２又は１３に記載の画像情報処理方法。
【請求項１７】
前記詳細情報・識別用画像表示手順は、前記詳細情報を抽出するとともに、この抽出動作において抽出されなかった詳細情報を、選択不可の状態に設定し、かつこの状態を示す選択不可表示により前記表示手段に表示させる抽出表示手順を備えていることを特徴とする請求項１２又は１３に記載の画像情報処理方法。
【請求項１８】
前記抽出表示手順は、前記抽出動作において抽出された詳細情報を詳細情報の並びの先頭側位置に表示させ、抽出されなかった詳細情報を詳細情報の並びの後方側位置に表示させるものであることを特徴とする請求項１７に記載の画像情報処理方法。
【請求項１９】
前記抽出表示手順は、抽出する詳細情報と識別用画像との少なくとも一方を選択するために、前記詳細情報・識別用画像表示手順にて表示された詳細情報を直接選択することを可能とする直接選択手順を備えていることを特徴とする請求項１６から１８の何れかに記載の画像情報処理方法。
【請求項２０】
前記抽出表示手順は、入力された検索条件に基づいて前記詳細情報と識別用画像との少なくとも一方の抽出を行う検索手順を備えていることを特徴とする請求項１６から１８の何れかに記載の画像情報処理方法。
【請求項２１】
前記詳細情報・識別用画像表示手順は、複数の前記画像情報格納領域に格納された複数の画像情報の各々についての各詳細情報および各識別用画像を表示手段に一括表示させる一括表示手順を備えていることを特徴とする請求項１２に記載の画像情報処理方法。
【請求項２２】
前記表示手段に詳細情報および識別用画像の各表示領域を形成する手順をさらに備え、
前記詳細情報・識別用画像表示手順は、前記詳細情報を前記詳細情報表示領域に表示させ、前記識別用画像を前記識別用画像表示領域に表示させるものであることを特徴とする請求項１３から２１の何れかに記載の画像情報処理方法。
【請求項２３】
前記識別用画像は前記画像情報の縮小画像であることを特徴とする請求項１２から２２の何れかに記載の画像情報処理方法。
【請求項２４】
請求項１２から２３の何れかに記載の画像情報処理方法を実現するためのプログラムを格納したことを特徴とするコンピュータ読み取り可能な記録媒体。
【発明の詳細な説明】
【０００１】
【発明の属する技術分野】
本発明は、格納領域に格納された画像情報についての第１の情報、例えば詳細情報と第２の情報、例えば識別用画像とを、表示画面に形成した表示領域に表示する画像情報処理装置、画像情報処理方法、記録媒体および伝送媒体に関するものである。
【０００２】
【従来の技術】
従来の画像情報処理装置としては、画像情報格納領域に格納された画像情報についての処理の利便性を高めるため、上記画像情報に関する情報を表示装置の表示画面上に形成した表示領域に表示するものが知られている。
【０００３】
例えば、特開平１１−３１６８２１号には、表示画面上にフォルダツリー表示領域と文書表示領域とを形成し、フォルダツリー表示領域のフォルダを選択することにより、そのフォルダに格納された画像情報に関する情報を文書表示領域に表示する構成が開示されている。
【０００４】
また、特開平４−２５３２８５号には、画像情報格納領域に格納されている画像情報のリストを表示領域に表示するとともに、前記リストから選択された画像情報の縮小画像を同一の表示領域に表示する構成が開示されている。
【０００５】
このような構成に対し、画像情報の表示機能をさらに高めたものが特開平１１−２２４２５９号に開示されている。その構成は、表示画面上に二つの表示領域を形成し、一つの表示領域には、画像情報格納領域に格納された複数の画像情報についての、画像サイズ等の詳細情報をリスト形式にて表示し、他の一つの表示領域には、上記複数の画像情報の縮小画像（サムネイル）を表示するものとなっている。
【０００６】
【発明が解決しようとする課題】
上記のように、複数の画像情報についての各詳細情報と各縮小画像とをそれぞれ異なる表示領域に表示する構成においては、各表示領域内において、例えばマウスを使用したドラッグアンドドロップの操作により、各詳細情報の表示順序と各縮小画像の表示順序とを任意に変更可能である。
【０００７】
しかしながら、上記の表示順序の変更は、各表示領域内において独立して行われるものであるため、例えば縮小画像の表示順序のみを変更した場合には、各縮小画像と各詳細情報との対応関係が不明瞭となり、その後の処理に混乱を来すことにもなる。
【０００８】
一方、このような不都合を防止するためには、例えば縮小画像の表示順序を変更した場合に、それに応じて各詳細情報の表示順序も変更しなければならず、この場合には、面倒な操作を使用者に強いることになり、画像情報表示装置の利便性が大きく害されることになる。
【０００９】
本発明は上記の課題を解決するためになされたものであって、画像情報格納領域に格納された画像情報についての第１の情報、例えば詳細情報と第２の情報、例えば識別用画像とを表示する場合において、これら表示情報の表示順序を変更する場合において表示上の利便性を高めることができる画像情報処理装置、画像情報処理方法、記録媒体および伝送媒体の提供を目的としている。
【００１０】
【課題を解決するための手段】
上記の課題を解決するために、本発明の画像情報処理装置は、表示手段と、画像情報格納手段と、前記表示手段に第１および第２の表示領域を形成する表示領域形成手段と、前記画像情報格納手段の画像情報格納領域に格納された複数の画像情報の各々についての各第１の情報を第１の表示領域に表示させ、各第２の情報を第２の表示領域に表示させる表示制御手段と、第１の情報と第２の情報との何れか一方について前記表示手段の表示画面上において表示順序が変更されたときに、同一の画像情報についての第１および第２の情報がそれぞれ第１および第２表示領域において同一の表示順序となるように、他方の表示順序を設定する連動表示制御手段とを備えていることを特徴としている。
【００１１】
上記の構成によれば、表示領域形成手段により、表示手段に第１および第２表示領域が形成され、表示制御手段により、画像情報格納手段の画像情報格納領域に格納されている複数の画像情報の各々についての各第１の情報が第１の表示領域に表示され、各第２の情報が第２の表示領域に表示される。この状態において、第１の情報と第２の情報との何れか一方について表示手段の表示画面上において、例えばドラッグアンドドロップにより表示順序が変更されたとき、連動表示制御手段により、同一の画像情報についての第１および第２の情報がそれぞれ第１および第２表示領域において同一の表示順序となるように、他方の表示順序が設定される。
【００１２】
上記のように、画像情報格納領域に格納されている画像情報についての第１の情報と第２の情報とが、表示手段の表示画面に形成された第１の表示領域と第２の表示領域において一覧表示されるので、画像情報の内容の確認が容易となる。また、この状態において、例えば何れかの第１の情報の表示順序を変更した場合には、この変更に応じて第２の情報の表示順序が自動的に変更される。即ち、第１の情報の表示順序の変更が、第２の情報の表示順序に自動的に反映される。したがって、使用者の好みにより、第１の情報と第２の情報との何れか一方の表示順序を変更した場合にも、使用者が上記一方に対応する他方の表示順序の変更操作をわざわざ行うことなく、表示画面上において、第１の情報と第２の情報との対応関係を維持することができる。これにより、画像情報処理装置は使い勝手のよいものとなる。
【００１３】
また、本発明の画像情報処理装置は、表示手段と、画像情報格納手段と、前記画像情報格納手段の画像情報格納領域に格納された複数の画像情報の各々についての各詳細情報、および前記画像情報の少なくとも一部を識別するための各識別用画像を表示手段に表示させる表示制御手段と、前記詳細情報と識別用画像との何れか一方について前記表示手段の表示画面上において表示順序が変更されたときに、同一の画像情報についての詳細情報と識別用画像とがそれぞれ詳細情報と識別用情報との並びにおいて同一の表示順序となるように、他方の表示順序を設定する連動表示制御手段とを備えていることを特徴としている。
【００１４】
上記の構成によれば、表示制御手段により、画像情報格納手段の画像情報格納領域に格納されている複数の画像情報の各々についての各詳細情報および各識別用画像が表示手段に表示される。この状態において、詳細情報と識別用画像との何れか一方について表示手段の表示画面上において、例えばドラッグアンドドロップにより表示順序が変更されたとき、連動表示制御手段により、同一の画像情報についての詳細情報と識別用画像とが同一の表示順序となるように、他方の表示順序が設定される。
【００１５】
上記のように、画像情報格納領域に格納されている画像情報についての詳細情報と識別用画像とが表示手段において一覧表示されるので、画像情報の内容の確認が容易となる。また、この状態において、例えば何れかの詳細情報の表示順序を変更した場合には、この変更に応じて識別用画像の表示順序が自動的に変更される。即ち、詳細情報の表示順序の変更が、識別用画像の表示順序に自動的に反映される。したがって、使用者の好みにより、詳細情報と識別用画像との何れか一方の表示順序を変更した場合にも、使用者が上記一方に対応する他方の表示順序の変更操作をわざわざ行うことなく、表示画面上において、詳細情報と識別用画像との対応関係を維持することができる。これにより、画像情報処理装置は使い勝手のよいものとなる。
【００１６】
上記の画像情報処理装置は、前記の画像情報格納領域に格納された各画像情報についての管理テーブルを備え、この管理テーブルには前記詳細情報と識別用画像とに共通の表示順序が設定され、前記の連動表示制御手段が、先に行われた一方の表示順序の変更に基づいて上記管理テーブルにおける表示順序を書き替えるとともに、書き替えた表示順序に基づいて表示手段での他方の表示順序を変更する構成であってもよい。
【００１７】
上記の構成によれば、連動表示制御手段により、先に行われた一方の表示順序の変更に基づいて管理テーブルに設定されている表示順序が書き替えられ、書き替えられた表示順序に基づいて表示手段での表示順序が変更される。したがって、管理テーブルを使用して、詳細情報と識別用画像との表示順序の変更を容易かつ正確に行うことができる。
【００１８】
上記の画像情報処理装置は、前記詳細情報がこの情報についての複数の項目を含んでおり、前記項目に示される情報に基づいて各詳細情報の表示順序を表示手段の表示画面上において並べ替える項目別並べ替え手段をさらに備えている構成であってもよい。
【００１９】
上記の構成によれば、項目別並び替え手段により、詳細情報に含まれた複数の項目の何れかに示される情報に基づいて、各詳細情報の表示順序を変更することができる。即ち、例えば詳細情報に画像情報のサイズを示す項目がある場合に、各詳細情報を画像情報のサイズ順、例えばサイズの大きい順序あるいは小さい順序に並べ替えることができる。これにより、使い勝手をさらに向上することができる。
【００２０】
上記の画像情報処理装置は、入力手段を備え、前記表示制御手段が、前記入力手段からの入力に基づいて前記識別用画像を抽出するとともに、抽出した識別用画像を前記表示手段に表示させる抽出表示制御手段を備えている構成であってもよい。
【００２１】
上記の構成によれば、抽出表示制御手段により、入力手段からの入力に基づいて識別用画像が抽出され、抽出された識別用画像が表示手段に表示される。即ち、操作者により選択された識別用画像が表示手段に表示される。したがって、表示手段の表示画面上において所望の識別用画像が見つけ易くなり、使い勝手がさらに向上する。
【００２２】
上記の画像情報処理装置は、入力手段を備え、前記表示制御手段が、前記入力手段からの入力に基づいて詳細情報を抽出するとともに、この抽出動作において抽出されなかった詳細情報を、選択不可の状態に設定し、かつこの状態を示す選択不可表示により前記表示手段に表示させる抽出表示制御手段を備えている構成としてもよい。
【００２３】
上記の構成によれば、抽出表示制御手段により、入力手段からの入力に基づく詳細情報の抽出動作において抽出されなかった詳細情報が、選択不可の状態に設定され、かつこの状態を示す選択不可表示により前記表示手段に表示される。
【００２４】
これにより、詳細情報の抽出結果を視覚的に捉えやすくなり、使い勝手をさらに向上することができる。
【００２５】
上記の画像情報処理装置は、前記抽出表示制御手段が、前記抽出動作において抽出された詳細情報を詳細情報の並びの先頭側位置に表示させ、抽出されなかった詳細情報を詳細情報の並びの後方側位置に表示させる構成としてもよい。
【００２６】
上記の構成によれば、抽出表示制御手段により、入力手段からの入力に基づく詳細情報の抽出動作において抽出された詳細情報が詳細情報の並びの先頭側位置に表示され、抽出されなかった詳細情報が詳細情報の並びの後方側位置に表示される。これにより、詳細情報の抽出結果を視覚的に捉えやすくなり、使い勝手をさらに向上することができる。
【００２７】
上記の画像情報処理装置は、前記抽出表示制御手段が、抽出する詳細情報と識別用画像との少なくとも一方を選択するために、前記表示制御手段にて表示された詳細情報を前記入力手段により選択することを可能とする直接選択手段を備えている構成としてもよい。
【００２８】
上記の構成によれば、直接選択手段により、抽出対象である詳細情報の選択動作を操作者が容易に行うことができる。
【００２９】
上記の画像情報処理装置は、前記抽出表示制御手段が、前記入力手段により入力された検索条件に基づいて前記詳細情報と識別用画像との少なくとも一方の抽出を行う検索手段を備えている構成としてもよい。
【００３０】
上記の構成によれば、検索手段により、抽出対象である詳細情報の選択動作を操作者が容易に行うことができる。
【００３１】
上記の画像情報処理装置は、前記画像情報格納手段に複数の画像情報格納領域が設けられ、前記表示制御手段が、複数の前記画像情報格納領域に格納された複数の画像情報の各々についての各詳細情報および各識別用画像を表示手段に一括表示させる一括表示制御手段を備えている構成であってもよい。
【００３２】
上記の構成によれば、一括表示制御手段により、複数の画像情報格納領域に格納された複数の画像情報の各々についての各詳細情報および各識別用画像を表示手段に一括表示させることができる。これにより、複数の画像情報格納領域に格納されている複数の画像情報についての詳細情報と識別用画像とを一つの表示画面上において一覧表示できる。したがって、使い勝手をさらに向上することができる。
【００３３】
上記の画像情報処理装置は、前記表示手段に詳細情報および識別用画像の各表示領域を形成する表示領域形成手段をさらに備え、前記表示制御手段が、前記詳細情報を前記詳細情報表示領域に表示させ、前記識別用画像を前記識別用画像表示領域に表示させる構成であってもよい。
【００３４】
上記の構成によれば、詳細情報および識別用画像がそれぞれ詳細情報表示領域および識別用画像表示領域に表示される。
【００３５】
上記の画像情報処理装置は、前記識別用画像が前記画像情報の縮小画像である構成としてもよい。
【００３６】
上記の構成によれば、識別用画像が画像情報の縮小画像であるので、識別用画像によってその画像情報の内容を容易に認識し、識別することができる。これにより、画像情報処理装置の利便性がさらに向上する。
【００３７】
本発明の画像情報処理方法は、画像情報の格納領域に格納された複数の画像情報の各々についての各詳細情報、および前記画像情報の少なくとも一部を識別するための各識別用画像を表示手段に表示させる詳細情報・識別用画像表示手順と、前記詳細情報と識別用画像との何れか一方について前記表示手段の表示画面上において表示順序が変更されたときに、同一の画像情報についての詳細情報と識別用画像とがそれぞれ詳細情報と識別用情報との並びにおいて同一の表示順序となるように、他方の表示順序を設定する連動表示手順とを備えていることを特徴としている。
【００３８】
上記の構成によれば、詳細情報・識別用画像表示手順により、画像情報格納領域に格納されている複数の画像情報の各々についての各詳細情報および各識別用画像が表示手段に表示される。この状態において、詳細情報と識別用画像との何れか一方について表示手段の表示画面上において、例えばドラッグアンドドロップにより表示順序が変更されたとき、連動表示手順により、同一の画像情報についての詳細情報と識別用画像とが同一の表示順序となるように、他方の表示順序が設定される。
【００３９】
上記のように、画像情報格納領域に格納されている画像情報についての詳細情報と識別用画像とが表示手段において一覧表示されるので、画像情報の内容の確認が容易となる。また、この状態において、例えば何れかの詳細情報の表示順序を変更した場合には、この変更に応じて識別用画像の表示順序が自動的に変更される。即ち、詳細情報の表示順序の変更が、識別用画像の表示順序に自動的に反映される。したがって、使用者の好みにより、詳細情報と識別用画像との何れか一方の表示順序を変更した場合にも、使用者が上記一方に対応する他方の表示順序の変更操作をわざわざ行うことなく、表示画面上において、詳細情報と識別用画像との対応関係を維持することができる。これにより、画像情報についての情報を表示する場合の利便性を向上することができる。
【００４０】
上記の画像情報処理方法は、前記の画像情報格納領域に格納された各画像情報についての管理テーブルを作成し、この管理テーブルに前記詳細情報と識別用画像とに共通の表示順序を設定し、前記の連動表示手順では、先に行われた一方の表示順序の変更に基づいて上記管理テーブルにおける表示順序を書き替えるとともに、書き替えた表示順序に基づいて表示手段での他方の表示順序を変更する構成であってもよい。
【００４１】
上記の構成によれば、連動表示手順により、先に行われた一方の表示順序の変更に基づいて管理テーブルに設定されている表示順序が書き替えられ、書き替えられた表示順序に基づいて表示手段での表示順序が変更される。したがって、管理テーブルを使用して、詳細情報と識別用画像との表示順序の変更を容易かつ正確に行うことができる。
【００４２】
上記の画像情報処理方法は、前記詳細情報がこの情報についての複数の項目を含んでおり、前記項目に示される情報に基づいて各詳細情報の表示順序を表示手段の表示画面上において並べ替える項目別並べ替え手順を備えている構成であってもよい。
【００４３】
上記の構成によれば、項目別並び替え手順により、詳細情報に含まれた複数の項目の何れかに示される情報に基づいて、各詳細情報の表示順序を変更することができる。即ち、例えば詳細情報に画像情報のサイズを示す項目がある場合に、各詳細情報を画像情報のサイズ順、例えばサイズの大きい順序あるいは小さい順序に並べ替えることができる。これにより、使い勝手をさらに向上することができる。
【００４４】
上記の画像情報処理方法は、前記詳細情報・識別用画像表示手順が、前記識別用画像を抽出し、抽出した識別用画像を前記表示手段に表示させる抽出表示手順を備えている構成であってもよい。
【００４５】
上記の構成によれば、抽出表示制御手順により識別用画像が抽出され、抽出された識別用画像が表示手段に表示される。即ち、操作者により選択された識別用画像が表示手段に表示される。したがって、表示手段の表示画面上において所望の識別用画像が見つけ易くなり、使い勝手がさらに向上する。
【００４６】
上記の画像情報処理方法は、前記詳細情報・識別用画像表示手順が、前記詳細情報を抽出するとともに、この抽出動作において抽出されなかった詳細情報を、選択不可の状態に設定し、かつこの状態を示す選択不可表示により前記表示手段に表示させる抽出表示手順を備えている構成としてもよい。
【００４７】
上記の構成によれば、抽出表示手順により、詳細情報の抽出動作において抽出されなかった詳細情報が、選択不可の状態に設定され、かつこの状態を示す選択不可表示により前記表示手段に表示される。
【００４８】
これにより、詳細情報の抽出結果を視覚的に捉えやすくなり、使い勝手をさらに向上することができる。
【００４９】
上記の画像情報処理方法は、前記抽出表示手順が、前記抽出動作において抽出された詳細情報を詳細情報の並びの先頭側位置に表示させ、抽出されなかった詳細情報を詳細情報の並びの後方側位置に表示させる構成としてもよい。
【００５０】
上記の構成によれば、抽出表示手順により、詳細情報の抽出動作において抽出された詳細情報が詳細情報の並びの先頭側位置に表示され、抽出されなかった詳細情報が詳細情報の並びの後方側位置に表示される。これにより、詳細情報の抽出結果を視覚的に捉えやすくなり、使い勝手をさらに向上することができる。
【００５１】
上記の画像情報処理方法は、前記抽出表示手順が、抽出する詳細情報と識別用画像との少なくとも一方を選択するために、前記詳細情報・識別用画像表示手順にて表示された詳細情報を直接選択することを可能とする直接選択手順を備えている構成としてもよい。
【００５２】
上記の構成によれば、直接選択手順により、抽出対象である詳細情報の選択動作を操作者が容易に行うことができる。
【００５３】
上記の画像情報処理方法は、前記抽出表示手順が、入力された検索条件に基づいて前記詳細情報と識別用画像との少なくとも一方の抽出を行う検索手順を備えている構成としてもよい。
【００５４】
上記の構成によれば、検索手順により、操作者が抽出対象である詳細情報の選択動作を容易に行うことができる。
【００５５】
上記の画像情報処理方法は、前記詳細情報・識別用画像表示手順が、複数の前記画像情報格納領域に格納された複数の画像情報の各々についての各詳細情報および各識別用画像を表示手段に一括表示させる一括表示手順を備えている構成としてもよい。
【００５６】
上記の構成によれば、一括表示手順により、複数の画像情報格納領域に格納された複数の画像情報の各々についての各詳細情報および各識別用画像を表示手段に一括表示させることができる。これにより、複数の画像情報格納領域に格納されている複数の画像情報についての詳細情報と識別用画像とを一つの表示画面上において一覧表示できる。したがって、使い勝手をさらに向上することができる。
【００５７】
上記の画像情報処理方法は、前記表示手段に詳細情報および識別用画像の各表示領域を形成する手順をさらに備え、前記詳細情報・識別用画像表示手順が、前記詳細情報を前記詳細情報表示領域に表示させ、前記識別用画像を前記識別用画像表示領域に表示させる構成としてもよい。
【００５８】
上記の構成によれば、詳細情報および識別用画像がそれぞれ識別用画像表示領域および識別用画像表示領域に表示される。
【００５９】
上記の画像情報処理方法は、前記識別用画像が前記画像情報の縮小画像である構成としてもよい。
【００６０】
上記の構成によれば、識別用画像が画像情報の縮小画像であるので、識別用画像によってその画像情報の内容を容易に認識し、識別することができる。これにより、画像情報処理装置の利便性がさらに向上する。
【００６１】
本発明の記録媒体は、上記の画像情報処理方法を実現するためのプログラムを格納したコンピュータ読み取り可能なものである。
【００６２】
本発明の伝送媒体は、上記の画像情報処理方法を実現するためのプログラムを伝送するものである。
【００６３】
【発明の実施の形態】
本発明の実施の一形態を図１ないし図３５に基づいて以下に説明する。
本実施の形態の画像情報処理装置は、図１に示すように、入力部（入力手段）１、画像情報蓄積部（画像情報格納手段）２、表示部（表示手段）３、画像情報表示制御部（表示制御手段）４、画像情報表示設定部（表示制御手段、表示領域形成手段）５および画像情報表示管理部６を備えている。
【００６４】
入力部１は、使用者が画像情報処理装置に対して、画像情報についての編集、削除あるいは検索等の処理の指示を入力するためのものであり、例えば検索条件入力部１１を有している。入力部１から入力された処理の指示は、画像情報表示制御部４に入力される。
【００６５】
画像情報蓄積部２は、例えば光磁気ディスク等の記録媒体からなり、複数の画像情報が記録されている。画像情報蓄積部２に蓄積された画像情報は、例えば図示しないスキャナにて読み込まれたもの、外部装置から通信により取り込まれたもの、あるいは画像情報処理装置に複数の画像情報が記録された記録媒体を装填し、この記録媒体から取り込まれたものである。
【００６６】
画像情報蓄積部２は、表示管理テーブル１２、詳細情報蓄積部１３および縮小画像蓄積部１４を有している。表示管理テーブル１２は上記複数の画像情報毎に設けられ、上記複数の画像情報の各詳細情報が詳細情報蓄積部１３に蓄積され、識別用画像としての縮小画像（サムネイル）が縮小画像蓄積部１４に蓄積されている。
【００６７】
表示部３には、詳細情報表示領域（第１の表示領域）１５、縮小画像表示領域（第２の表示領域）１６および階層型構造表示領域（第３の表示領域、フォルダ表示領域）１７が形成される。
【００６８】
画像情報表示制御部４は、抽出表示制御部（抽出表示制御手段）１８、一括表示制御部（一括表示制御手段）１９および詳細情報項目別並べ替え表示制御部（項目別並べ替え手段）２０を有し、上記抽出表示制御部１８は、さらに  直接選択表示制御部（直接選択手段）２１および検索表示制御部（検索手段）２２を有している。
【００６９】
画像情報表示制御部４は、入力部１から入力された処理の指示に基づき、その処理に応じた制御部１８〜２０を選択するとともに、その処理を実行するように、画像情報蓄積部２および画像情報表示設定部５を制御する。
【００７０】
画像情報表示設定部５は、詳細情報表示設定部２３、縮小画像表示設定部２４および階層型構造表示設定部２５を有している。
【００７１】
詳細情報表示設定部２３は、表示部３の表示画面に詳細情報表示領域１５を作成し、縮小画像表示設定部２４は、縮小画像表示領域１６を作成し、階層型構造表示設定部２５は、階層型構造表示領域１７を作成する。
【００７２】
画像情報表示管理部６は、同時表示制御部２６および連動表示制御部（連動表示制御手段）２７を有している。画像情報表示管理部６は、これら同時表示制御部２６および連動表示制御部２７の動作により、後述のように、上記の詳細情報表示領域１５と縮小画像表示領域１６と階層型構造表示領域１７とにおいて、画像情報が同時かつ連動して表示されるように管理する。
【００７３】
画像情報蓄積部２の各画像データに対応する前記表示管理テーブル１２には、図２に示すように、画像情報名３１、詳細情報ポインタ３２、縮小画像ポインタ３３、詳細情報表示設定３４、縮小画像表示設定３５、識別値３６、一括表示設定３７の各情報が格納されている。
【００７４】
詳細情報ポインタ３２は、画像情報蓄積部２内の詳細情報蓄積部１３を参照するポインタであり、縮小画像ポインタ３３は、画像情報蓄積部２内の縮小画像蓄積部１４を参照するポインタである。同図に示すように、詳細情報としては、画像情報サイズ、画像形式、その画像情報が格納されている格納領域（階層型構造表示領域１７に表示される各画像情報格納領域５１の何れの画像情報格納領域５１にその画像情報が格納されているかを示す情報）等の情報が設定されている。
【００７５】
詳細情報表示設定３４には、画像情報の詳細情報を表示部３の詳細情報表示領域１５に表示するか否かの情報が格納され、縮小画像表示設定３５には、画像情報の縮小画像を縮小画像表示領域１６に表示するか否かの情報が格納されている。
【００７６】
識別値３６は、画像情報の表示順序を示すものであり、この表示順序に対応する数値が自然数により与えられている。例えば１番目に表示される画像情報には識別値１が与えられ、２番目に表示される画像情報には識別値２が与えられる。詳細情報表示領域１５および縮小画像表示領域１６に表示する詳細情報および縮小画像を作成する際には、上記識別値３６により示される画像情報の順序にて処理が行われる。各画像情報に設定される識別値３６は互いに異なり、かつ欠落のない連続した自然数となっている。
【００７７】
したがって、画像情報表示設定部５は画像情報蓄積部２から表示管理テーブル１２を取得し、その情報に基づいて詳細情報表示領域１５、縮小画像表示領域１６および階層型構造表示領域１７を作成する。また、画像情報表示管理部６も、上記の表示管理テーブル１２の情報に基づいて、画像情報の表示管理を行う。
【００７８】
表示部３における画像情報の表示形態は、図３に示すものとなっている。即ち、表示部３の表示画面上には、詳細情報表示領域１５、縮小画像表示領域１６および階層型構造表示領域１７が形成される。同図では、階層型構造表示領域１７にα、βおよびγの階層型構造の画像情報格納領域（以下、フォルダと称する）５１が設けられ、このうち、フォルダβに３個の画像情報Ａ、Ｂ、Ｃが格納されている場合を示している。
【００７９】
詳細情報表示領域１５には、全ての画像情報Ａ、Ｂ、Ｃの詳細情報５２がリスト形式にて表示され、縮小画像表示領域１６には画像情報Ａ、Ｂ、Ｃの縮小画像５３が表示されている。これら、詳細情報表示領域１５の各詳細情報５２および縮小画像表示領域１６の各縮小画像５３の表示順序は、例えばマウスを使用したドラッグアンドドロップの操作により、並べ替えることができる。
【００８０】
詳細情報表示領域１５に表示される詳細情報５２の詳細情報項目は、表示管理テーブル１２に格納された画像情報名、画像情報サイズ、画像形式および格納領域名となっている。これら項目名を示す領域は、入力部１による操作ボタン、即ち項目選択ボタン４１となっている。これら項目選択ボタン４１は、詳細情報項目別並べ替え表示制御部２０の処理により各詳細情報項目の内容に基づいて各詳細情報の表示順序を変更するときに操作される。
【００８１】
各画像情報における詳細情報５２の複数の詳細情報項目を横方に並べた行の先頭位置には、チェックボックス４２が設けられている。このチェックボックス４２は、入力部１の例えばマウスの操作によりチェック可能であり、画像情報Ａ、Ｂ、Ｃの選択に使用される。例えば、チェックされた画像情報は、抽出表示制御部１８の処理により、縮小画像表示領域１６にその縮小画像５３が表示されることになる。あるいは、選択するものとしてその画像情報を指定する際に使用される。
【００８２】
詳細情報表示領域１５には、さらに、検索する文字列を入力するための検索条件入力ボックス４３、表示ボタン４４、キャンセルボタン４５が設けられている。キャンセルボタン４５は、変更された詳細情報や縮小画像の表示順序を元の状態に戻すボタンである。
【００８３】
図１に示した画像情報処理装置の構成をさらに具体的に示すと、例えば図４に示す構成となる。同図に示す画像情報処理装置は、ＣＰＵ７１、およびこのＣＰＵ７１に接続されたメモリ７２、ディスプレイ７３、マウスを含むキーボード７４、ハードディスク７５、記録媒体読取り装置７６および記録媒体７７を備えている。
【００８４】
メモリ７２は例えばＲＡＭからなり、ＣＰＵ７１の作業領域として機能する。ディスプレイ７３は、前記の表示部３に相当し、キーボード７４は前記の入力部１に相当し、ハードディスク７５は前記の画像情報蓄積部２に相当する。
【００８５】
ハードディスク７５には、画像情報処理装置の処理手順を実現するコンピュータプログラムとして、実行形式ファイルが格納されている。このコンピュータプログラムは、予めハードディスク７５に格納されていてもよい。あるいは、まず、記録媒体７７に格納されており、この記録媒体７７から記録媒体読取り装置７６を介してハードディスク７５に書き込まれたものでよい。
【００８６】
また、図４に示した構成の場合、図１に示した画像情報表示制御部４、画像情報表示設定部５および画像情報表示管理部６は、ＣＰＵ７１とハードディスク７５に書き込まれたコンピュータプログラムによって構成される。
【００８７】
上記の構成において、本画像情報処理装置における画像情報表示管理部６の動作を図５のフローチャートにより説明する。
【００８８】
画像情報表示管理部６では、表示部３の表示画面上において図３に示した表示を行う場合に、先ず、画像情報蓄積部２から表示管理テーブル１２を取得する（Ｓ１）。
【００８９】
次に、画像情報表示管理部６の連動表示制御部２７は、詳細情報表示領域１５と縮小画像表示領域１６との何れか一方において変更点があるか否かを判断する（Ｓ２）。即ち、詳細情報表示領域１５においては、各画像情報の詳細情報５２の表示順序が変更されているか否かを判断し、縮小画像表示領域１６においては、各画像情報の縮小画像５３の表示順序が変更されているか否かを判断する。ここでの変更の有無の判断は、表示管理テーブル１２の各識別値毎に付帯する情報について、変更がなされているか否かについて行う。
【００９０】
Ｓ２において変更点がない場合には、Ｓ３に進み、表示管理テーブル１２を修正することなく画像情報蓄積部２に保存し、処理を終了する。
【００９１】
一方、Ｓ２において変更点がある場合であって、詳細情報表示領域１５に変更点がある場合には（Ｓ４）、表示管理テーブル１２の内容が詳細情報表示領域１５での各詳細情報５２の表示内容、即ち各詳細情報５２の表示順序と合致するように、表示管理テーブル１２の識別値３６の内容を更新する（Ｓ５）。この際には、詳細情報表示領域１５の１番目（先頭位置）に詳細情報５２が表示されている画像情報の識別値３６を１と設定し、各画像情報の識別値３６には、詳細情報５２の表示順序に対応する、欠落のない連続した自然数を与える。
【００９２】
次に、各表示管理テーブル１２の識別値３６を調べ、識別値３６の最大値、即ち画像情報蓄積部２に蓄積された全画像情報数Ｘを取得する（Ｓ６）。
【００９３】
次に、パラメータＮ、Ｍをそれぞれ１と設定し（Ｓ７）、Ｎ番目の識別値３６を有する画像情報の表示管理テーブル１２を参照して、その画像情報の縮小画像５３を縮小画像表示領域１６に表示させるか否かを判断する。この判断は、表示管理テーブル１２の縮小画像表示設定３５における表示の有無の設定に基づいて行う。
【００９４】
Ｓ８での判断の結果、縮小画像５３を表示させる場合には、Ｎ番目の識別値３６を有する画像情報の縮小画像５３を縮小画像表示領域１６のＭ番目に表示させる（Ｓ９）。そして、Ｍ＝Ｍ＋１とし（Ｓ１０）、Ｓ１１に進む。また、Ｓ８において、縮小画像５３を表示させない場合には、直接Ｓ１１に進む。
【００９５】
Ｓ１１では、全識別値３６についてＳ８の判断が行われた否かを判断し、行われていない場合には、Ｓ１２においてＮ＝Ｎ＋１とし、全識別値３６、即ち全画像情報についての上記判断が終了するまで、上記Ｓ８〜Ｓ１２の処理を繰り返す。
【００９６】
その後、全画像情報についての上記判断が終了すると、表示管理テーブル１２を画像情報蓄積部２に保存し、処理を終了する（Ｓ３）。
【００９７】
一方、Ｓ４において、縮小画像表示領域１６に変更点がある場合には、Ｓ１３に進む。
【００９８】
Ｓ１３では、表示管理テーブル１２の内容が縮小画像表示領域１６での各縮小画像５３の表示内容、即ち各縮小画像５３の表示順序と合致するように、表示管理テーブル１２の識別値３６の内容を更新する。この際には、同様に、縮小画像表示領域１６の１番目に縮小画像５３が表示されている画像情報の識別値３６を１と設定し、各画像情報の識別値３６には、縮小画像５３の表示順序に対応する、欠落のない連続した自然数を与える。
【００９９】
次に、各表示管理テーブル１２の識別値３６を調べ、識別値３６の最大値、即ち画像情報蓄積部２に蓄積された全画像情報数Ｘを取得する（Ｓ１４）。
【０１００】
次に、パラメータＮ、Ｍをそれぞれ１と設定し（Ｓ１５）、Ｎ番目の識別値３６を有する画像情報の表示管理テーブル１２を参照して、その画像情報の詳細情報５２を詳細情報表示領域１５に表示させるか否かを判断する。この判断は、表示管理テーブル１２の詳細情報表示設定３４における表示の有無の設定に基づいて行う。
【０１０１】
Ｓ１６での判断の結果、詳細情報５２を表示させる場合には、Ｎ番目の識別値３６を有する画像情報の詳細情報５２を詳細情報表示領域１５のＭ番目に表示させる（Ｓ１７）。そして、Ｍ＝Ｍ＋１とし（Ｓ１８）、Ｓ１９に進む。また、Ｓ１６において、詳細情報５２を表示させない場合には、直接Ｓ１９に進む。
【０１０２】
Ｓ１９では、全識別値３６についてＳ１６の判断が行われた否かを判断し、行われていない場合には、Ｓ２０においてＮ＝Ｎ＋１とし、全識別値３６、即ち全画像情報についての上記判断が終了するまで、上記Ｓ１６〜Ｓ２０の処理を繰り返す。
【０１０３】
その後、全画像情報についての上記判断が終了すると、表示管理テーブル１２を画像情報蓄積部２に保存し、処理を終了する（Ｓ３）。
【０１０４】
上記のような画像情報表示管理部６の制御動作により、表示部３の表示画面上では、詳細情報表示領域１５と縮小画像表示領域１６との間において、例えば図６（ａ）（ｂ）に示す連動表示が行われる。即ち、図６（ａ）に示すように、例えば、表示部３での前記図３に示した場合と同様の表示状態の場合に、詳細情報表示領域１５において、例えばドラッグアンドドロップにより、画像情報Ｃの詳細情報５２を画像情報Ａの詳細情報５２と画像情報Ｂの詳細情報５２との間に移動させると、この移動に連動して、図６（ｂ）に示すように、縮小画像表示領域１６において、画像情報Ｃの縮小画像５３（Ｃ）が自動的に縮小画像５３（Ａ）と縮小画像５３（Ｂ）との間に移動する。
【０１０５】
上記のように、画像情報表示管理部６の制御動作により、詳細情報表示領域１５での詳細情報５２の表示順序と縮小画像表示領域１６の縮小画像５３の表示順序とは、一つの画像情報について同一の表示管理テーブル１２により管理される。したがって、詳細情報表示領域１５の詳細情報５２と縮小画像表示領域１６の縮小画像５３との連動表示が可能となる。即ち、詳細情報表示領域１５の詳細情報５２と縮小画像表示領域１６の縮小画像５３との何れか一方において表示順序を変更した場合には、他方の表示順序をその変更に連動して自動的に変更することができる。
【０１０６】
なお、表示部３の表示画面上においては、詳細情報表示領域１５の詳細情報５２と縮小画像表示領域１６の縮小画像５３との何れか一方を入力部１の操作により指定すると、その情報の表示色が変化（例えば白黒反転）するとともに、それに対応する他方の情報、およびその情報を格納している階層型構造表示領域１７のフォルダ５１の表示色が同様に変化（例えば白黒反転）する構成としてもよい。この処理は例えば連動表示制御部２７が行う。
【０１０７】
上記の動作に関し、図７には、縮小画像表示領域１６における画像情報Ａの縮小画像５３（Ａ）を指定した場合に、この縮小画像５３（Ａ）の表示が白黒反転するとともに、詳細情報表示領域１５の上記縮小画像５３（Ａ）に対応する詳細情報５２、および画像情報Ａを格納している階層型構造表示領域１７のフォルダ５１（β）が白黒反転した状態を示している。
【０１０８】
このような構成では、指定された画像情報に関する階層型構造表示領域１７のフォルダ５１と、詳細情報表示領域１５の詳細情報５２と、縮小画像表示領域１６の縮小画像５３とを視覚的に容易に認識でき、これらの対応関係を即座に理解できる。
【０１０９】
次に、詳細情報表示領域１５での詳細情報５２の各詳細情報項目の並べ替え処理について説明する。この処理は、画像情報表示制御部４の詳細情報項目別並べ替え表示制御部２０により行われる。また、詳細情報表示領域１５に表示される各詳細情報項目は、詳細情報表示設定部２３により設定される。
【０１１０】
この処理においては、図８に示すように、まず、項目選択ボタン４１の操作により詳細情報５２に含まれる何れかの詳細情報項目が選択される（Ｓ３１）。この場合の詳細情報項目の選択は、何れかの詳細情報項目の内容に基づいて各詳細情報５２の並べ替えを行いたい場合に、使用者によりその詳細情報項目が選択される。
【０１１１】
次に、詳細情報項目別並べ替え表示制御部２０は、Ｓ３１において選択された詳細情報項目の内容に基づいて、従来の項目別並び替え制御手法により各詳細情報５２を並べ替え、その結果の状態を表示する（Ｓ３２）。ここでの処理は、例えば詳細情報項目として画像情報サイズが選択された場合、この画像情報サイズを各画像情報Ａ、Ｂ、Ｃ間で比較し、画像情報サイズの大きい順あるいは小さい順に各詳細情報５２を並べ替えるものである。
【０１１２】
次に、詳細情報項目別並べ替え表示制御部２０は、前記表示管理テーブル１２における各画像情報Ａ、Ｂ、Ｃの識別値３６を、詳細情報表示領域１５での詳細情報５２の表示順序と対応するように設定する（Ｓ３３）。
【０１１３】
その後、上記の詳細情報表示領域１５での変更が終了すると、画像情報表示管理部６が、前記図５に示した手順により、詳細情報５２と縮小画像５３との連動表示処理を行う（Ｓ３４）。
【０１１４】
上記のような詳細情報項目別並べ替え表示制御部２０および画像情報表示管理部６の制御動作により、表示部３の表示画面上では、図９（ａ）に示すように、詳細情報表示領域１５での詳細情報５２の並べ替え動作が行われるとともに、図９（ｂ）に示すように、縮小画像表示領域１６において詳細情報表示領域１５との連動表示が行われる。
【０１１５】
即ち、図９（ａ）に示すように、詳細情報表示領域１５には、例えば、詳細情報項目として画像情報サイズが表示されており、画像情報Ａ、Ｂ、Ｃの画像情報サイズがそれぞれ、５０，７０，１００となっている。そして、画像情報サイズに基づく各詳細情報５２の並べ替え処理が、画像情報サイズの大きい順に設定されている場合において、項目選択ボタン４１のサイズボタンを入力部１により操作すると、図９（ｂ）に示すように、画像情報サイズの大きい画像情報順に、それらの詳細情報５２が並べ替えられる。
【０１１６】
また、この詳細情報表示領域１５での並べ替え処理に連動して、縮小画像表示領域１６では、各縮小画像５３が、詳細情報表示領域１５での対応する各詳細情報５２の表示順序と同一の表示順序となるように、並べ替えられる。
【０１１７】
なお、図９（ｂ）の状態から再度サイズボタンを操作した場合、各詳細情報５２が画像情報サイズの小さい順に並べ替えられ、これに連動して、各縮小画像５３が、対応する各詳細情報５２の表示順序と同一の表示順序となるように、並べ替えられる。
【０１１８】
次に、図１に示した画像情報表示制御部４の抽出表示制御部１８の動作を図１０のフローチャートにより説明する。画像情報処理装置では、前述のように、選択されたフォルダ５１に格納されている全ての画像情報についての詳細情報５２および縮小画像５３を詳細情報表示領域１５および縮小画像表示領域１６に表示するばかりでなく、抽出表示制御部１８の動作により、所定の条件の下での抽出結果に基づいて、詳細情報５２と縮小画像５３との表示に関して種々の形態をとることができる。
【０１１９】
先ず、詳細情報５２については、選択されたフォルダ５１に格納されている全ての画像情報について表示する一方、縮小画像５３については、抽出結果に応じて表示する場合の抽出表示制御部１８の動作について説明する。
【０１２０】
抽出表示制御部１８は、先ず、画像情報蓄積部２から表示管理テーブル１２を取得する（Ｓ４１）。
【０１２１】
次に、今の設定が、詳細情報表示領域１５に表示されている詳細情報５２の全ての画像情報の縮小画像５３を縮小画像表示領域１６に表示するものとなっているか否かを判断する（Ｓ４２）。
【０１２２】
Ｓ４２での判定の結果、全ての画像情報の縮小画像５３を表示する設定であれば、Ｓ４３に進み、全ての画像情報の縮小画像５３が詳細情報表示領域１５に表示されるように、表示管理テーブル１２の縮小画像表示設定３５をＹｅｓに設定する。
【０１２３】
そして、表示管理テーブル１２を画像情報蓄積部２に保存する（Ｓ４４）。その後、画像情報表示管理部６の連動表示制御部２７が、図５のフローチャートに示した手順に従って連動表示処理を行い（Ｓ４５）、処理を終了する。
【０１２４】
一方、Ｓ４２での判断結果において、全ての画像情報の縮小画像５３を表示する設定でなければ、表示すべき縮小画像５３の抽出手段として、直接選択表示制御部２１と検索表示制御部２２との何れが選択されているかを判断する（Ｓ４６）。
【０１２５】
ここで、直接選択表示制御部２１は、図１１に示すように、チェックボックス４２にチェックされている画像情報についての縮小画像５３を抽出するものであり、検索表示制御部２２は、図１２に示すように、検索条件入力ボックス４３に書き込まれた検索条件に基づいて縮小画像５３を抽出するものである。
【０１２６】
Ｓ４６での判断の結果、直接選択表示制御部２１が選択されている場合、即ちチェックボックス４２にチェックが行われている場合、表示管理テーブル１２の識別値３６の最大値、即ち選択されたフォルダ５１に格納されている全画像情報数Ｘを取得する（Ｓ４７）。
【０１２７】
次に、パラメータＮを１に設定し（Ｓ４８）、Ｎ番目の識別値３６を有する画像情報のデータを取得して（Ｓ４９）、そのチェックボックス４２におけるチェックの有無を判断する（Ｓ５０）。
【０１２８】
この判断の結果、その画像情報にチェックがない場合には、その画像情報の縮小画像５３が詳細情報表示領域１５に表示されないように、表示管理テーブル１２における縮小画像表示設定３５をＮｏとし（Ｓ５１）、Ｓ５３に進む。
【０１２９】
一方、Ｓ５０での判断の結果、チェックがある場合には、その画像情報の縮小画像５３が詳細情報表示領域１５に表示されるように、表示管理テーブル１２の縮小画像表示設定３５をＹｅｓとし（Ｓ５２）、Ｓ５３に進む。
【０１３０】
Ｓ５３ではＮ＝Ｘであるか否か、即ち全ての画像情報について処理が完了したか否かを判断し、全ての画像情報について処理が完了していなければ、Ｎ＝Ｎ＋１として（Ｓ５４）、Ｓ４９〜Ｓ５４の処理を繰り返す。
【０１３１】
そして、全ての画像情報について処理が完了すると、表示管理テーブル１２を画像情報蓄積部２に保存する（Ｓ５５）。以上のＳ４７〜Ｓ５５は直接選択表示処理についてのものである。
【０１３２】
その後、画像情報表示管理部６の連動表示制御部２７が、図５のフローチャートに示した手順に従って連動表示処理を行い（Ｓ４５）、処理を終了する。
【０１３３】
また、Ｓ４６での判断の結果、検索表示制御部２２が選択されている場合、操作者により入力部１の検索条件入力部１１を使用して、検索条件入力ボックス４３に検索条件が入力される（Ｓ５６）。その後、表示管理テーブル１２の識別値３６の最大値、即ち選択されたフォルダ５１に格納されている全画像情報数Ｘを取得する（Ｓ５７）。
【０１３４】
次に、パラメータＮを１に設定し（Ｓ５８）、Ｎ番目の識別値３６を有する画像情報のデータを取得して（Ｓ５９）、その画像情報が検索条件に該当するか否かを判断する（Ｓ６０）。
【０１３５】
この判断の結果、検索条件に該当しない場合には、その画像情報の縮小画像５３が縮小画像表示領域１６に表示されないように、表示管理テーブル１２における縮小画像表示設定３５をＮｏとし（Ｓ６１）、Ｓ６３に進む。
【０１３６】
一方、Ｓ６０での判断の結果、検索条件に該当する場合には、その画像情報の縮小画像５３が縮小画像表示領域１６に表示されるように、表示管理テーブル１２の縮小画像表示設定３５をＹｅｓとし（Ｓ６２）、Ｓ６３に進む。
【０１３７】
Ｓ６３ではＮ＝Ｘであるか否か、即ち全ての画像情報について処理が完了したか否かを判断し、全ての画像情報について処理が完了していなければ、Ｎ＝Ｎ＋１として（Ｓ６４）、Ｓ５９〜Ｓ６４の処理を繰り返す。
【０１３８】
そして、全ての画像情報についての処理が完了すると、表示管理テーブル１２を画像情報蓄積部２に保存する（Ｓ６５）。以上のＳ５６〜Ｓ６５は検索表示処理についてのものである。
【０１３９】
その後、画像情報表示管理部６の連動表示制御部２７が、図５のフローチャートに示した手順に従って連動表示処理を行い（Ｓ４５）、処理を終了する。
【０１４０】
上記のような抽出表示制御部１８の直接選択表示制御部２１における直接選択表示処理および連動表示制御部２７の制御動作により、表示部３では、例えば図１１に示す表示が行われる。即ち、詳細情報表示領域１５において、各詳細情報５２の先頭位置に設けられたチェックボックス４２のうち、例えば詳細情報５２（Ａ）（画像情報Ａの詳細情報５２）のチェックボックス４２のみをチェックし、表示ボタン４４を操作することにより、縮小画像表示領域１６には縮小画像５３（Ａ）（画像情報Ａの縮小画像５３）のみが抽出されて表示される。
【０１４１】
また、抽出表示制御部１８の検索表示制御部２２における検索表示処理および連動表示制御部２７の制御動作により、表示部３では、例えば図１２に示す表示が行われる。ここでは、階層型構造表示領域１７の選択されたフォルダ５１（β）に画像情報名が「ＡＢＣ」、「ＣＢＡ」、「ＢＡＣ」の各画像情報ＡＢＣ，ＣＢＡ，ＢＡＣが格納されている場合を示す。したがって、詳細情報表示領域１５にはこれら画像情報ＡＢＣ，ＣＢＡ，ＢＡＣの各詳細情報５２が表示される。また、縮小画像表示領域１６には、検索条件入力ボックス４３に検索条件として例えば「ＡＢ」の文字列を入力し、表示ボタン４４を操作することにより、名称に上記文字列「ＡＢ」を含む画像情報縮ＡＢＣの縮小画像５３（ＡＢＣ）のみが抽出されて表示される。
【０１４２】
上記の構成では、選択されたフォルダ５１に格納されている画像情報の詳細情報５２については全て詳細情報表示領域１５に表示する一方、縮小画像５３については、直接的にあるいは検索によって選択したものだけを縮小画像表示領域１６に表示するようにしている。したがって、表示画面上において、選択した画像情報の縮小画像を容易に見つけ易くなる。
【０１４３】
次に、抽出表示制御部１８の他の動作について説明する。ここでは、詳細情報５２については、選択されたフォルダ５１に格納されている全ての画像情報について表示するとともに、直接的にあるいは検索によって選択したものを詳細情報５２の並びの先頭側位置（表示画面の上位位置）に表示するものとする。また、縮小画像５３については、直接的にあるいは検索によって選択したものだけを表示するものとする。なお、縮小画像５３の表示位置は縮小画像５３の並びの先頭側位置（表示画面の左側位置）となる。
【０１４４】
先ず、検索表示制御部２２による検索表示処理を図１３のフローチャートにより説明する。この処理は、図１０に示した検索表示処理に置き換えられるものである。
【０１４５】
この処理において、操作者により入力部１の検索条件入力部１１を使用して、検索条件入力ボックス４３に検索条件が入力されると（Ｓ７１）、検索表示制御部２２は、表示管理テーブル１２の識別値３６の最大値、即ち選択されたフォルダ５１に格納されている全画像情報数Ｘを取得する（Ｓ７２）。
【０１４６】
次に、パラメータＮを１に設定し（Ｓ７３）、Ｎ番目の識別値３６を有する画像情報のデータを取得して（Ｓ７４）、その画像情報が検索条件に該当するか否かを判断する（Ｓ７５）。
【０１４７】
この判断の結果、検索条件に該当しない場合には、その画像情報の縮小画像５３が縮小画像表示領域１６に表示されないように、表示管理テーブル１２における縮小画像表示設定３５をＮｏとし（Ｓ７６）、Ｓ７８に進む。
【０１４８】
一方、Ｓ７５での判断の結果、検索条件に該当する場合には、その画像情報の縮小画像５３が縮小画像表示領域１６に表示されるように、表示管理テーブル１２の縮小画像表示設定３５をＹｅｓとし（Ｓ７７）、Ｓ７８に進む。
【０１４９】
Ｓ７８では、検索条件に該当する画像情報の詳細情報５２が表示画面の上位位置に表示され、検索条件に該当しない画像情報の詳細情報５２が表示画面の下位位置に表示されるように、詳細情報５２の並べ替えを行う。
【０１５０】
次に、Ｎ＝Ｘであるか否か、即ち全ての画像情報について処理が完了したか否かを判断し（Ｓ７９）、全ての画像情報について処理が完了していなければ、Ｎ＝Ｎ＋１として（Ｓ８０）、Ｓ７４〜Ｓ８０の処理を繰り返す。そして、全ての画像情報についての処理が完了すると、表示管理テーブル１２を画像情報蓄積部２に保存する（Ｓ８１）。
【０１５１】
上記のような抽出表示制御部１８の検索表示制御部２２における検索表示処理および連動表示制御部２７の制御動作により、表示部３では、例えば図１４（ａ）に示す通常の連動表示に対して、図１４（ｂ）に示す連動表示が行われる。
【０１５２】
即ち、連動表示制御部２７による通常の連動表示では、図１４（ａ）に示すように、階層型構造表示領域１７の選択されたフォルダ５１（β）に格納されている画像情報ＡＢＣ，ＢＣＤ，ＣＡＢの各詳細情報５２が詳細情報表示領域１５に表示され、各縮小画像５３が縮小画像表示領域１６に表示される。
【０１５３】
一方、図１３に示した検索表示処理によれば、図１４（ｂ）に示すように、検索条件入力ボックス４３に検索条件として例えば「ＣＤ」の文字列を入力し、表示ボタン４４を操作することにより、詳細情報表示領域１５には、全ての画像情報ＡＢＣ，ＢＣＤ，ＣＡＢの各詳細情報５２が表示されるとともに、検索条件「ＣＤ」に該当する画像情報ＢＣＤの詳細情報５２（ＢＣＤ）が表示画面の上位位置に表示され、他の画像情報ＡＢＣ，ＣＡＢの詳細情報５２（ＡＢＣ）、詳細情報５２（ＣＡＢ）が表示画面の下位位置に表示される。また、縮小画像表示領域１６には、検索条件「ＣＤ」に該当する画像情報ＢＣＤの縮小画像５３のみが抽出されて先頭位置に表示される。
【０１５４】
次に、直接選択表示制御部２１による、図１３に示した検索表示処理に対応する直接選択表示処理を図１５のフローチャートにより説明する。この処理は、図１０に示した直接選択表示処理に置き換えられるものである。
【０１５５】
この処理において、直接選択表示制御部２１は、表示管理テーブル１２の識別値３６の最大値、即ち選択されたフォルダ５１に格納されている全画像情報数Ｘを取得する（Ｓ９１）。
【０１５６】
次に、パラメータＮを１に設定し（Ｓ９２）、Ｎ番目の識別値３６を有する画像情報のデータを取得して（Ｓ９３）、そのチェックボックス４２におけるチェックの有無を判断する（Ｓ９４）。
【０１５７】
この判断の結果、その画像情報にチェックがない場合には、その画像情報の縮小画像５３が縮小画像表示領域１６に表示されないように、表示管理テーブル１２における縮小画像表示設定３５をＮｏとし（Ｓ９５）、Ｓ９７に進む。
【０１５８】
一方、Ｓ９４での判断の結果、チェックがある場合には、その画像情報の縮小画像５３が縮小画像表示領域１６に表示されるように、表示管理テーブル１２の縮小画像表示設定３５をＹｅｓとし（Ｓ９６）、Ｓ９７に進む。
【０１５９】
Ｓ９７では、チェックがある画像情報の詳細情報５２が表示画面の上位位置に表示され、チェックがない画像情報の詳細情報５２が表示画面の下位位置に表示されるように、詳細情報５２の並べ替えを行う。
【０１６０】
次に、Ｎ＝Ｘであるか否か、即ち全ての画像情報について処理が完了したか否かを判断し（Ｓ９８）、全ての画像情報について処理が完了していなければ、Ｎ＝Ｎ＋１として（Ｓ９９）、Ｓ９３〜Ｓ９９の処理を繰り返す。そして、全ての画像情報についての処理が完了すると、表示管理テーブル１２を画像情報蓄積部２に保存する（Ｓ１００）。
【０１６１】
上記のような抽出表示制御部１８の直接選択表示制御部２１における直接選択表示処理および連動表示制御部２７の制御動作により、表示部３では、例えば図１６（ａ）に示す通常の連動表示（図１４（ａ）と同一のもの）に対して、図１６（ｂ）に示す連動表示が行われる。
【０１６２】
即ち、図１５に示した直接選択表示処理によれば、図１６（ｂ）に示すように、画像情報ＢＣＤの詳細情報５２の先頭位置のチェックボックス４２にチェックを入れた後、表示ボタン４４を操作することにより、詳細情報表示領域１５には、全ての画像情報ＡＢＣ，ＢＣＤ，ＣＡＢの各詳細情報５２が表示されるとともに、チェックのある画像情報ＢＣＤの詳細情報５２（ＢＣＤ）が表示画面の上位位置に表示され、他の画像情報ＡＢＣ，ＣＡＢの詳細情報５２（ＡＢＣ）、詳細情報５２（ＣＡＢ）が表示画面の下位位置に表示される。また、縮小画像表示領域１６には、チェックのある画像情報ＢＣＤの縮小画像５３のみが抽出されて先頭位置に表示される。
【０１６３】
上記の構成では、選択されたフォルダ５１に格納されている画像情報の詳細情報５２については、全て詳細情報表示領域１５に表示するとともに、直接的にあるいは検索によって選択したものを表示画面の上位位置に表示する一方、縮小画像５３については、選択したものだけを縮小画像表示領域１６に表示するようにしている。したがって、選択結果を視覚的に捉え易くなる。
【０１６４】
次に、抽出表示制御部１８のさらに他の動作について説明する。ここでは、詳細情報５２と縮小画像５３とについて、選択されたフォルダ５１に格納されている全ての画像情報について表示するとともに、直接的にあるいは検索によって選択したものを、それぞれ詳細情報５２および縮小画像５３の並びの先頭側位置に表示するものとする。また、詳細情報５２と縮小画像５３とについて、選択していないものを、それぞれ詳細情報５２および縮小画像５３の並びの後方側位置に表示し、かつグレイアウト表示（選択不可表示）するものとする。
【０１６５】
上記グレイアウト表示は、この表示を行う対象を表示画面上において相対的に目立たなくするもの、即ちこの表示を行う対象以外のものを相対的に目立つようにするものである。このグレイアウト表示は、この表示を行う対象を、グレイ色で表示するものである。
【０１６６】
なお、選択されずにグレイアウト表示された詳細情報５２および縮小画像５３については、削除や並び替えを含む移動等の処理やそのための選択が一切無効となる。この点は、後述の各処理においても同様である。
【０１６７】
先ず、検索表示制御部２２による検索表示処理を図１７のフローチャートにより説明する。この処理は、図１０に示した検索表示処理に置き換えられるものである。また、表示管理テーブル１２としては、図２に示したものに代えて、図１８に示すものが使用される。
【０１６８】
この処理において、操作者により検索条件入力ボックス４３に検索条件が入力されると（Ｓ１１１）、検索表示制御部２２は、表示管理テーブル１２の識別値３６の最大値、即ち選択されたフォルダ５１に格納されている全画像情報数Ｘを取得する（Ｓ１１２）。
【０１６９】
次に、パラメータＮを１に設定し（Ｓ１１３）、Ｎ番目の識別値３６を有する画像情報のデータを取得して（Ｓ１１４）、その画像情報が検索条件に該当するか否かを判断する（Ｓ１１５）。
【０１７０】
この判断の結果、検索条件に該当しない場合には、その画像情報の詳細情報５２および縮小画像５３が詳細情報表示領域１５および縮小画像表示領域１６においてグレイアウト表示されるように、図１８に示す表示管理テーブル１２における詳細情報表示設定３４および縮小画像表示設定３５を「Gray out」とし（Ｓ１１６）、Ｓ１１８に進む。
【０１７１】
一方、Ｓ１１５での判断の結果、検索条件に該当する場合には、その画像情報の詳細情報５２および縮小画像５３が詳細情報表示領域１５および縮小画像表示領域１６に表示されるように、表示管理テーブル１２の詳細情報表示設定３４および縮小画像表示設定３５を「Ｙｅｓ」とし（Ｓ１１７）、Ｓ１１８に進む。
【０１７２】
Ｓ１１８では、検索条件に該当する画像情報の詳細情報５２および縮小画像５３が表示画面の詳細情報表示領域１５および縮小画像表示領域１６での詳細情報５２および縮小画像５３の並び方向における先頭側位置、即ち詳細情報５２は上位位置、縮小画像５３は左側位置に表示され、検索条件に該当しない画像情報の詳細情報５２および縮小画像５３が詳細情報５２および縮小画像５３の並び方向における後方側位置、即ち詳細情報５２は下位位置、縮小画像５３は右側位置に表示されるように、詳細情報５２および縮小画像５３の並べ替えを行う。
【０１７３】
次に、Ｎ＝Ｘであるか否か、即ち全ての画像情報について処理が完了したか否かを判断し（Ｓ１１９）、全ての画像情報について処理が完了していなければ、Ｎ＝Ｎ＋１として（Ｓ１２０）、Ｓ１１４〜Ｓ１２０の処理を繰り返す。そして、全ての画像情報についての処理が完了すると、表示管理テーブル１２を画像情報蓄積部２に保存する（Ｓ１２１）。
【０１７４】
上記のような抽出表示制御部１８の検索表示制御部２２における検索表示処理および連動表示制御部２７の制御動作により、表示部３では、例えば図１９（ａ）に示す通常の連動表示に対して、図１９（ｂ）に示す連動表示が行われる。
【０１７５】
即ち、連動表示制御部２７による通常の連動表示では、図１９（ａ）に示すように、階層型構造表示領域１７の選択されたフォルダ５１（β）に格納されている画像情報ＡＢＣ，ＢＣＤ，ＣＡＢの各詳細情報５２が詳細情報表示領域１５に表示され、各縮小画像５３が縮小画像表示領域１６に表示される。
【０１７６】
一方、図１７に示した検索表示処理によれば、図１９（ｂ）に示すように、検索条件入力ボックス４３に検索条件として例えば「ＣＤ」の文字列を入力し、表示ボタン４４を操作することにより、詳細情報表示領域１５および縮小画像表示領域１６には、全ての画像情報ＡＢＣ，ＢＣＤ，ＣＡＢの各詳細情報５２および各縮小画像５３が表示される。また、検索条件「ＣＤ」に該当する画像情報ＢＣＤの詳細情報５２（ＢＣＤ）および縮小画像５３（ＢＣＤ）が詳細情報表示領域１５および縮小画像表示領域１６での詳細情報５２および縮小画像５３の並び方向の先頭位置に表示される。さらに、他の画像情報ＡＢＣ，ＣＡＢの詳細情報５２（ＡＢＣ）、詳細情報５２（ＣＡＢ）および縮小画像５３（ＡＢＣ）、縮小画像５３（ＣＡＢ）が表示画面の上記並び方向における後方位置においてグレイアウト表示される。なお、グレイアウト表示されたものについては、同図において破線で囲むことにより示している。この点は、他の図面においても同様である。
【０１７７】
次に、直接選択表示制御部２１による、図１７に示した検索表示処理に対応する直接選択表示処理を図２０のフローチャートにより説明する。この処理は、図１０に示した直接選択表示処理に置き換えられるものである。
【０１７８】
この処理において、直接選択表示制御部２１は、表示管理テーブル１２の識別値３６の最大値、即ち選択されたフォルダ５１に格納されている全画像情報数Ｘを取得する（Ｓ１３１）。
【０１７９】
次に、パラメータＮを１に設定し（Ｓ１３２）、Ｎ番目の識別値３６を有する画像情報のデータを取得して（Ｓ１３３）、そのチェックボックス４２におけるチェックの有無を判断する（Ｓ１３４）。
【０１８０】
この判断の結果、その画像情報にチェックがない場合には、その画像情報の詳細情報５２および縮小画像５３が詳細情報表示領域１５および縮小画像表示領域１６においてグレイアウト表示されるように、図１８に示す表示管理テーブル１２における詳細情報表示設定３４および縮小画像表示設定３５を「Gray out」とし（Ｓ１３５）、Ｓ１３７に進む。
【０１８１】
一方、Ｓ１３４での判断の結果、チェックがある場合には、その画像情報の詳細情報５２および縮小画像５３が詳細情報表示領域１５および縮小画像表示領域１６に表示されるように、表示管理テーブル１２の詳細情報表示設定３４および縮小画像表示設定３５を「Ｙｅｓ」とし（Ｓ１３６）、Ｓ１３７に進む。
【０１８２】
Ｓ１３７では、チェックがある画像情報の詳細情報５２および縮小画像５３が表示画面の詳細情報表示領域１５および縮小画像表示領域１６での詳細情報５２および縮小画像５３の並び方向における先頭側位置、即ち詳細情報５２は上位位置、縮小画像５３は左側位置に表示され、チェックがない画像情報の詳細情報５２および縮小画像５３が詳細情報５２および縮小画像５３の並び方向における後方側位置、即ち詳細情報５２は下位位置、縮小画像５３は右側位置に表示されるように、詳細情報５２および縮小画像５３の並べ替えを行う。
【０１８３】
次に、Ｎ＝Ｘであるか否か、即ち全ての画像情報について処理が完了したか否かを判断し（Ｓ１３８）、全ての画像情報について処理が完了していなければ、Ｎ＝Ｎ＋１として（Ｓ１４０）、Ｓ１３３〜Ｓ１４０の処理を繰り返す。そして、全ての画像情報についての処理が完了すると、表示管理テーブル１２を画像情報蓄積部２に保存する（Ｓ１３９）。
【０１８４】
上記のような抽出表示制御部１８の直接選択表示制御部２１における直接選択表示処理および連動表示制御部２７の制御動作により、表示部３では、例えば図２１（ａ）に示す通常の連動表示に対して、図２１（ｂ）に示す連動表示が行われる。
【０１８５】
即ち、図２０に示した直接選択表示処理によれば、図２１（ｂ）に示すように、画像情報ＢＣＤの詳細情報５２の先頭位置のチェックボックス４２にチェックを入れた後、表示ボタン４４を操作することにより、詳細情報表示領域１５および縮小画像表示領域１６には、全ての画像情報ＡＢＣ，ＢＣＤ，ＣＡＢの各詳細情報５２および各縮小画像５３が表示される。また、チェックがある画像情報ＢＣＤの詳細情報５２（ＢＣＤ）および縮小画像５３（ＢＣＤ）が詳細情報表示領域１５および縮小画像表示領域１６での詳細情報５２および縮小画像５３の並び方向の先頭位置に表示される。さらに、他の画像情報ＡＢＣ，ＣＡＢの詳細情報５２（ＡＢＣ）、詳細情報５２（ＣＡＢ）および縮小画像５３（ＡＢＣ）、縮小画像５３（ＣＡＢ）が表示画面の上記並び方向における後方位置においてグレイアウト表示される。
【０１８６】
上記の構成では、選択されたフォルダ５１に格納されている画像情報の詳細情報５２および縮小画像５３について、全て詳細情報表示領域１５および縮小画像表示領域１６に表示するとともに、直接的にあるいは検索によって選択したものを表示画面におけるそれらの並び方向の先頭側位置に表示する一方、選択しないものを表示画面におけるそれらの並び方向の後方側位置においてグレイアウト表示するようにしている。したがって、選択結果を視覚的に捉え易くなる。
【０１８７】
次に、抽出表示制御部１８のさらに他の動作について説明する。ここでは、詳細情報５２については、選択されたフォルダ５１に格納されている全ての画像情報について表示するとともに、直接的にあるいは検索によって選択したものを詳細情報５２の並びの先頭側位置に表示する一方、選択していないもを詳細情報５２の並びの後方側位置においてグレイアウト表示するものとする。また、縮小画像５３については、直接的にあるいは検索によって選択したものを縮小画像５３の並びの先頭側位置に表示する一方、選択していないものを表示しないものとする。
【０１８８】
先ず、検索表示制御部２２による検索表示処理を図２２のフローチャートにより説明する。この処理は、図１０に示した検索表示処理に置き換えられるものである。また、表示管理テーブル１２としては、図２に示したものに代えて、図２３に示すものが使用される。
【０１８９】
この処理において、操作者により検索条件入力ボックス４３に検索条件が入力されると（Ｓ１５１）、検索表示制御部２２は、表示管理テーブル１２の識別値３６の最大値、即ち選択されたフォルダ５１に格納されている全画像情報数Ｘを取得する（Ｓ１５２）。
【０１９０】
次に、パラメータＮを１に設定し（Ｓ１５３）、Ｎ番目の識別値３６を有する画像情報のデータを取得して（Ｓ１５４）、その画像情報が検索条件に該当するか否かを判断する（Ｓ１５５）。
【０１９１】
この判断の結果、検索条件に該当しない場合には、その画像情報の詳細情報５２が詳細情報表示領域１５においてグレイアウト表示されるように、図２３に示す表示管理テーブル１２における詳細情報表示設定３４を「Gray out」とする。さらに、その画像情報の縮小画像５３が縮小画像表示領域１６に表示されないように、表示管理テーブル１２における縮小画像表示設定３５を「Ｎｏ」とする（Ｓ１５６）。その後、Ｓ１５８に進む。
【０１９２】
一方、Ｓ１５５での判断の結果、検索条件に該当する場合には、その画像情報の詳細情報５２および縮小画像５３が詳細情報表示領域１５および縮小画像表示領域１６に表示されるように、表示管理テーブル１２の詳細情報表示設定３４および縮小画像表示設定３５を「Ｙｅｓ」とし（Ｓ１５７）、Ｓ１５８に進む。
【０１９３】
Ｓ１５８では、検索条件に該当する画像情報の詳細情報５２および縮小画像５３が表示画面の詳細情報表示領域１５および縮小画像表示領域１６での詳細情報５２および縮小画像５３の並び方向における先頭側位置、即ち詳細情報５２は上位位置、縮小画像５３は左側位置に表示され、検索条件に該当しない画像情報の詳細情報５２が表示画面の下位位置に表示されるように、詳細情報５２および縮小画像５３の並べ替えを行う。
【０１９４】
次に、Ｎ＝Ｘであるか否か、即ち全ての画像情報について処理が完了したか否かを判断し（Ｓ１５９）、全ての画像情報について処理が完了していなければ、Ｎ＝Ｎ＋１として（Ｓ１６０）、Ｓ１５４〜Ｓ１６０の処理を繰り返す。そして、全ての画像情報についての処理が完了すると、表示管理テーブル１２を画像情報蓄積部２に保存する（Ｓ１６１）。
【０１９５】
上記のような抽出表示制御部１８の検索表示制御部２２における検索表示処理および連動表示制御部２７の制御動作により、表示部３では、例えば図２４（ａ）に示す通常の連動表示に対して、図２４（ｂ）に示す連動表示が行われる。
【０１９６】
即ち、連動表示制御部２７による通常の連動表示では、図２４（ａ）に示すように、階層型構造表示領域１７の選択されたフォルダ５１（β）に格納されている画像情報ＡＢＣ，ＢＣＤ，ＣＡＢの各詳細情報５２が詳細情報表示領域１５に表示され、各縮小画像５３が縮小画像表示領域１６に表示される。
【０１９７】
一方、図２２に示した検索表示処理によれば、図２４（ｂ）に示すように、検索条件入力ボックス４３に検索条件として例えば「ＣＤ」の文字列を入力し、表示ボタン４４を操作することにより、詳細情報表示領域１５には、全ての画像情報ＡＢＣ，ＢＣＤ，ＣＡＢの各詳細情報５２が表示される。また、検索条件「ＣＤ」に該当する画像情報ＢＣＤの詳細情報５２（ＢＣＤ）が詳細情報表示領域１５での詳細情報５２の並び方向の先頭位置に表示される。さらに、他の画像情報ＡＢＣ，ＣＡＢの詳細情報５２（ＡＢＣ）、詳細情報５２（ＣＡＢ）が表示画面の上記並び方向における後方位置においてグレイアウト表示される。また、縮小画像表示領域１６には、検索条件「ＣＤ」に該当する画像情報ＢＣＤの縮小画像５３（ＢＣＤ）のみが、縮小画像表示領域１６での縮小画像５３の並び方向の先頭位置に表示される。
【０１９８】
次に、直接選択表示制御部２１による、図２２に示した検索表示処理に対応する直接選択表示処理を図２５のフローチャートにより説明する。この処理は、図１０に示した直接選択表示処理に置き換えられるものである。
【０１９９】
この処理において、直接選択表示制御部２１は、表示管理テーブル１２の識別値３６の最大値、即ち選択されたフォルダ５１に格納されている全画像情報数Ｘを取得する（Ｓ１７１）。
【０２００】
次に、パラメータＮを１に設定し（Ｓ１７２）、Ｎ番目の識別値３６を有する画像情報のデータを取得して（Ｓ１７３）、そのチェックボックス４２におけるチェックの有無を判断する（Ｓ１７４）。
【０２０１】
この判断の結果、その画像情報にチェックがない場合には、その画像情報の詳細情報５２が詳細情報表示領域１５においてグレイアウト表示されるように、図２３に示す表示管理テーブル１２における詳細情報表示設定３４を「Gray out」とする。さらに、その画像情報の縮小画像５３が縮小画像表示領域１６に表示されないように、表示管理テーブル１２における縮小画像表示設定３５を「Ｎｏ」とする（Ｓ１７５）。その後、Ｓ１７７に進む。
【０２０２】
一方、Ｓ１７４での判断の結果、チェックがある場合には、その画像情報の詳細情報５２および縮小画像５３が詳細情報表示領域１５および縮小画像表示領域１６に表示されるように、表示管理テーブル１２の詳細情報表示設定３４および縮小画像表示設定３５を「Ｙｅｓ」とし（Ｓ１７６）、Ｓ１７７に進む。
【０２０３】
Ｓ１７７では、チェックがある画像情報の詳細情報５２および縮小画像５３が表示画面の詳細情報表示領域１５および縮小画像表示領域１６での詳細情報５２および縮小画像５３の並び方向における先頭側位置、即ち詳細情報５２は上位位置、縮小画像５３は左側位置に表示され、チェックがない画像情報の詳細情報５２が表示画面の下位位置に表示されるように、詳細情報５２および縮小画像５３の並べ替えを行う。
【０２０４】
次に、Ｎ＝Ｘであるか否か、即ち全ての画像情報について処理が完了したか否かを判断し（Ｓ１７８）、全ての画像情報について処理が完了していなければ、Ｎ＝Ｎ＋１として（Ｓ１８０）、Ｓ１７３〜Ｓ１８０の処理を繰り返す。そして、全ての画像情報についての処理が完了すると、表示管理テーブル１２を画像情報蓄積部２に保存する（Ｓ１７９）。
【０２０５】
上記のような抽出表示制御部１８の直接選択表示制御部２１における直接選択表示処理および連動表示制御部２７の制御動作により、表示部３では、例えば図２６（ａ）に示す通常の連動表示に対して、図２６（ｂ）に示す連動表示が行われる。
【０２０６】
即ち、図２５に示した直接選択表示処理によれば、図２６（ｂ）に示すように、画像情報ＢＣＤの詳細情報５２の先頭位置のチェックボックス４２にチェックを入れた後、表示ボタン４４を操作することにより、詳細情報表示領域１５には、全ての画像情報ＡＢＣ，ＢＣＤ，ＣＡＢの各詳細情報５２が表示される。また、チェックがある画像情報ＢＣＤの詳細情報５２（ＢＣＤ）が詳細情報表示領域１５での詳細情報５２の並び方向の先頭位置に表示される。さらに、他の画像情報ＡＢＣ，ＣＡＢの詳細情報５２（ＡＢＣ）、詳細情報５２（ＣＡＢ）が表示画面の上記並び方向における後方位置においてグレイアウト表示される。また、縮小画像表示領域１６には、チェックのある画像情報ＢＣＤの縮小画像５３（ＢＣＤ）のみが表示される。なお、この縮小画像５３（ＢＣＤ）の表示位置は、縮小画像表示領域１６での縮小画像５３の並び方向の先頭位置となる。
【０２０７】
上記の構成では、選択されたフォルダ５１に格納されている画像情報の詳細情報５２については、全て詳細情報表示領域１５に表示するとともに、直接的にあるいは検索によって選択したものを表示画面におけるそれらの並び方向の先頭側位置に表示する一方、選択しないものを表示画面におけるそれらの並び方向の後方側位置においてグレイアウト表示し、また、縮小画像５３については、選択したもののみを表示画面におけるそれらの並び方向の先頭側位置に表示するようにしている。したがって、選択結果を視覚的に捉え易くなる。
【０２０８】
次に、図１に示した画像情報表示制御部４の一括表示制御部１９の動作を、図２７ないし図３１により説明する。画像情報処理装置では、一括表示制御部１９の動作により、詳細情報５２と縮小画像５３とについて、階層型構造表示領域１７の一つのフォルダ５１に格納されている画像情報のものばかりでなく、図２８に示すように、複数のフォルダ５１に格納されている画像情報のものを一括して表示できるようになっている。
【０２０９】
図２７に示すように、一括表示処理において、一括表示制御部１９は、先ず、画像情報蓄積部２より表示管理テーブル１２を取得する（Ｓ１９１）。
【０２１０】
次に、表示部３の階層型構造表示領域１７に表示されているフォルダ５１が複数選択されている場合に、これらフォルダ５１に格納されている画像情報を一括表示するか否かを判断する（Ｓ１９２）。
【０２１１】
Ｓ１９２の判断の結果、一括表示する場合には、選択された複数のフォルダ５１に格納されている全画像情報の詳細情報５２および縮小画像５３を詳細情報表示領域１５および縮小画像表示領域１６に一括表示させるために、例えば図２に示した表示管理テーブル１２の一括表示設定３７を「Ｙｅｓ」とする（Ｓ１９３）。
【０２１２】
このように、複数のフォルダ５１を選択するとともに、表示管理テーブル１２の一括表示設定３７を「Ｙｅｓ」とすることにより、複数のフォルダ５１を跨った一つの仮想格納領域を形成して、詳細情報表示領域１５に複数の格納領域内の詳細情報５２を一括表示し、また、縮小画像表示領域１６に複数の格納領域内の縮小画像５３を一括表示することができる。
【０２１３】
この際、同一のフォルダ５１内の画像情報についての縮小画像５３と、異なるフォルダ５１内の画像情報についての縮小画像５３とを視覚的に容易に区別できるようにするため、縮小画像５３はフォルダ５１別の色分け等により異なる表示とされる。また、選択された複数のフォルダ５１の全画像情報にはそれぞれ異なる識別値３６が与えられる。また、各画像情報の詳細情報５２には、各画像情報が元々格納されていたフォルダ５１を識別可能とするため、詳細情報５２の詳細情報項目に「格納領域名」が含まれる。
【０２１４】
次に、Ｓ１９４において、詳細情報項目別並べ替え表示が選択されているか否かを判断し、この表示が選択されている場合には、Ｓ１９５において詳細情報項目別並べ替え表示制御部２０が、図８に示した手順により、選択された複数のフォルダ５１内の画像情報の詳細情報５２に対して、並び替え処理を行う。上記の詳細情報項目別並べ替え表示の選択は、前述したように、例えば項目選択ボタン４１のサイズボタンの操作により行われる。
【０２１５】
その後、Ｓ１９６において、画像情報表示管理部６の連動表示制御部２７が、図５に示した手順により、連動表示処理を行う。
【０２１６】
また、Ｓ１９４において、詳細情報項目別並べ替え表示が選択されていない場合のＳ１９７〜Ｓ２０２は、図１０の処理を簡略化して示したものである。したがって、Ｓ１９４〜Ｓ２０２の手順に従えば、詳細情報５２および縮小画像５３については、複数のフォルダ５１内の画像情報についてものをそれぞれ詳細情報表示領域１５および縮小画像表示領域１６に一括表示した場合においても、一つのフォルダ５１内の画像情報についてものを表示した場合と同様に、抽出表示制御部１８による抽出表示（直接選択表示処理および検索表示処理）、および画像情報表示管理部６の連動表示制御部２７による前記連動表示を行うことができる。
【０２１７】
上記のような画像情報表示制御部４における一括表示制御部１９の制御動作により、表示部３では、例えば図２８に示す一括表示が行われる。
【０２１８】
即ち、一括表示制御部１９は、図２８に示すように、複数のフォルダ５１、即ちフォルダ５１（β）とフォルダ５１（γ）が選択された場合、フォルダ５１（β）に格納されている画像情報Ａ、Ｂとフォルダ５１（γ）に格納されている画像情報Ｃ、Ｄとの詳細情報５２（Ａ）〜５２（Ｄ）を詳細情報表示領域１５に表示し、縮小画像５３（Ａ）〜（Ｄ）を縮小画像表示領域１６に表示する。
【０２１９】
この際、フォルダ５１（β）内の画像情報Ａ、Ｂについての縮小画像５３（Ａ）、５３（Ｂ）と、これとは異なるフォルダ５１（γ）内の画像情報Ｃ、Ｄについての縮小画像５３（Ｃ）、５３（Ｄ）とを視覚的に容易に区別できるようにするため、縮小画像５３（Ａ）および５３（Ｂ）と縮小画像５３（Ｃ）および５３（Ｄ）とは異なる色にて表示される。また、詳細情報５２（Ａ）〜５２（Ｄ）には、それらの画像情報が元々格納されていたフォルダ５１を識別可能できるように、詳細情報項目に「格納領域名」が含まれている。
【０２２０】
上記のような表示処理により、本画像情報処理装置では、複数のフォルダ５１間において、例えば移動、格納、比較等の画像情報の処理を容易に行うことができる。
【０２２１】
また、例えば図２９（ａ）のように、一括表示制御部１９による一括表示が行われている状態において、詳細情報項目別並べ替え表示制御部２０による詳細情報項目に基づく並べ替え処理が行われた場合、表示部３での各詳細情報５２と各縮小画像５３との一覧表示は、例えば図２９（ｂ）に示すように変化する。
【０２２２】
即ち、図２９（ａ）に示すように、詳細情報表示領域１５には、詳細情報項目として画像情報サイズが表示されており、画像情報Ｄ、Ｂ、Ａ、Ｃの詳細情報５２がこの順序で表示され、画像情報サイズがそれぞれ、５０、１００、７０、１２０となっている。そして、画像情報サイズに基づく各詳細情報５２の並べ替え処理が、画像情報サイズの大きい順に設定されている場合において、項目選択ボタン４１のサイズボタンを入力部１により操作すると、図２９（ｂ）に示すように、画像情報サイズの大きい画像情報順に、それらの詳細情報５２が並べ替えられる。
【０２２３】
また、この詳細情報表示領域１５での詳細情報５２の並べ替え処理に連動して、縮小画像表示領域１６では、各縮小画像５３が、詳細情報表示領域１５での対応する各詳細情報５２の表示順序と同一の表示順序となるように、並べ替えられる。
【０２２４】
なお、図２９（ｂ）の状態から再度サイズボタンを操作した場合、各詳細情報５２が画像情報サイズの小さい順に並べ替えられ、これに連動して、各縮小画像５３が、対応する各詳細情報５２の表示順序と同一の表示順序となるように、並べ替えられる。
【０２２５】
また、例えば図２８に示した、一括表示制御部１９による一括表示が行われている状態において、画像情報表示制御部４の抽出表示制御部１８における直接選択表示制御部２１の直接選択表示処理および検索表示制御部２２の検索表示処理が行われた場合、表示部３での各詳細情報５２と各縮小画像５３との一覧表示は、それぞれ図３０および図３１に示すものとなる。
【０２２６】
即ち、直接選択表示処理では、詳細情報表示領域１５において各詳細情報５２の先頭位置に設けられたチェックボックス４２のうち、例えば詳細情報５２（Ａ）、５２（Ｃ）のチェックボックス４２のみをチェックし、表示ボタン４４を操作することにより、縮小画像表示領域１６には縮小画像５３（Ａ）、５３（Ｃ）のみが抽出されて表示される。
【０２２７】
また、検索表示処理では、検索条件入力ボックス４３に検索条件として例えば「ＡＢ」の文字列を入力し、表示ボタン４４を操作することにより、名称に上記文字列「ＡＢ」を含む画像情報縮ＡＢＣＤ、ＣＡＢＤの縮小画像５３（ＡＢＣＤ）、５３（ＣＡＢＤ）のみが抽出されて表示される。
【０２２８】
なお、ここでは、図１０に示した直接選択表示処理および検索表示処理が行われた場合について示すものの、前述した他の直接選択表示処理および検索表示処理についても同様に適用可能である。
【０２２９】
また、階層型構造表示領域１７における複数のフォルダ５１の選択は本画像情報処理装置において、次のようにして行われる。
【０２３０】
基本的な動作として、入力部１により選択されたフォルダ５１の色は反転するようになっている。フォルダ５１に格納されてる画像情報についての詳細情報５２および縮小画像５３は、フォルダ５１が入力部１により選択されると同時に、あるいはフォルダ５１の選択後に表示ボタン４４が操作されると同時に、それぞれ詳細情報表示領域１５および縮小画像表示領域１６に表示される。
【０２３１】
フォルダ５１の選択動作としては、入力部１において特定のボタン（例えばキーボードのCtrlキーなど）を押しながら、参照したいフォルダ５１を一つずつ選択していく。フォルダ５１が新たに選択される度に、図３２（ａ）および図３２（ｂ）に示すように、詳細情報表示領域１５および縮小画像表示領域１６に詳細情報５２および縮小画像５３が追加表示されていく。
【０２３２】
フォルダ５１の他の選択動作としては、図３３（ａ）に示すように、入力部１のマウスを用いて参照したいフォルダ５１を複数選択した後、図３３（ｂ）に示すように、表示ボタン４４を操作することにより、選択された複数のフォルダ５１内の画像情報についての詳細情報５２および縮小画像５３が詳細情報表示領域１５および縮小画像表示領域１６に表示される。
【０２３３】
また、縮小画像５３については、フォルダ５１に格納されている画像情報を識別可能なものであればよく、特に限定されない。例えば、図３４（ａ）に示す１頁分のテキストデータの縮小画像、図３４（ｂ）に示す１頁分の画像データの縮小画像、テキストデータと画像データとが混ざった１頁分の縮小画像、図３４（ｃ）に示す、複数頁からなる画像情報（テキストデータ、画像データもしくはテキストデータと画像データとが混ざったもの）の縮小画像等であってもよい。
【０２３４】
上記の図３４（ａ）および図３４（ｂ）のものは、画像情報の１頁分（テキストデータ、画像データ）をそのまま縮小し、ある程度の視認性を満足するよう表示したものである。図３４（ｃ）のものは、複数頁からなる画像情報をそのまま縮小し、そのうちの１頁分の縮小画像のみを視認できるように表示するものである。なお、この縮小画像には、例えばその上部に二つの矢印アイコンが存在し、それらを操作することで、その画像情報の所望の縮小画像を順次表示する機能を備えている。
【０２３５】
また、以上の例においては、画像情報の識別用画像として縮小画像５３を使用しているが、この識別用画像としては、上記画像情報の少なくとも一部を識別可能なものであればよく、縮小画像５３に限定されない。例えば、画像情報の一部、例えばその画像情報の特徴部分のみを表示するものであってもよい。
【０２３６】
また、本画像情報処理装置のコンピュータプログラムは、例えば図３５に示す構成により伝送可能となっている。同図において、コンピュータプログラムとして記述した実行形式ファイルは、ホストサーバー８１が有するハードディスク等の記録媒体８２に格納されている。ホストサーバー８１は、複数のユーザ端末８３とイーサネット(Ethernet)ケーブル、電話回線あるいはその他の伝送媒体８４により接続されており、ＴＣＰ／ＩＰプロトコルに基づいて動作するように構成されている。そして、何れかのユーザ端末８３からの送信要求に応じて、上記実行形式ファイルがホストサーバー８１からそのユーザ端末８３に伝送される。
【０２３７】
このようにして供給された実行形式ファイルは、ユーザ端末８３が備える記録媒体８５に格納され、これをユーザが実行することにより、任意のユーザ端末８３において本実施の形態に示した各種の処理を実現可能になる。
【０２３８】
以上のように、本画像情報処理装置では、詳細情報５２と縮小画像５３とを同時に一覧表示し、これらの何れか一方に対する並べ替え処理を行った場合に、その処理に連動して他方が並べ替えられるようになっている。したがって、詳細情報５２と縮小画像５３との何れか一方の並べ替えを行った場合であっても、これら両者の対応関係が視覚上において明確となり、使い勝手の良い画像情報処理装置となる。
【０２３９】
以上説明したように、画像情報処理装置および画像情報処理方法は、上記の各種処理を機能させるためのプログラムで実現される。このプログラムはコンピュータで読み取り可能な記録媒体に格納されている。本発明では、この記録媒体として、マイクロコンピュータで処理が行われるために必要なメモリ、例えばＲＯＭのようなものそのものがプログラムメディアであってもよいし、また外部記憶装置としてプログラム読み取り装置が設けられ、そこに記録媒体を挿入することで読み取り可能なプログラムメディアであってもよい。
【０２４０】
いずれの場合においても、格納されているプログラムはマイクロプロセッサがアクセスして実行させる構成であってもよいし、あるいはいずれの場合もプログラムを読み出し、読み出されたプログラムが、マイクロコンピュータの図示されていないプログラム記憶エリアにダウンロードされて、そのプログラムが実行される方式であってもよい。このダウンロード用のプログラムは予め本体装置に格納されているものとする。
【０２４１】
ここで上記プログラムメディアは、本体と分離可能に構成される記録媒体であり、磁気テープやカセットテープ等のテープ系、フロッピーディスクやハードディスク等の磁気ディスクやＣＤ−ＲＯＭ、ＭＯ、ＭＤ、ＤＶＤ等の光ディスクのディスク系、ＩＣカード（メモリカードを含む）、光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【０２４２】
また、本発明においてはインターネットを含む通信ネットワークと接続可能なシステム構成であることから、通信ネットワークからプログラムをダウンロードするように流動的にプログラムを担持する媒体であってもよい。尚、このように通信ネットワークからプログラムをダウンロードする場合には、そのダウンロード用プログラムは予め本体装置に格納しておくか、あるいは別な記録媒体からインストールされるものであってもよい。なお、記録媒体に格納されている内容としてはプログラムに限定されず、データであってもよい。
【０２４３】
本発明の画像情報処理装置は、階層型構造をもつ格納領域（ディレクトリ）群の結びつきを表示する階層型構造表示手段と、格納領域群に蓄積された複数の画像情報についての各詳細情報をリスト形式で表示する詳細情報表示手段と、前記画像情報に関する縮小画像を表示する縮小画像表示手段と、前記詳細情報表示手段および縮小画像表示手段による表示を同時に一覧できるように表示する同時表示制御手段と、各画像情報の詳細情報、およびこの詳細情報に対応する縮小画像に対する操作を連動して表示する連動表示制御手段とを備えていることを特徴としている。
【０２４４】
これにより、縮小画像による画像情報の識別性を有し、リスト形式による画像情報の一覧性を一つの表示部内に実現しているので、使用者は臨機応変に双方の表示部を確認しながら画像情報に対する処理を行える。
【０２４５】
【発明の効果】
以上のように、本発明の画像情報処理装置は、表示手段と、画像情報格納手段と、前記表示手段に第１および第２の表示領域を形成する表示領域形成手段と、前記画像情報格納手段の画像情報格納領域に格納された複数の画像情報の各々についての各第１の情報を第１の表示領域に表示させ、各第２の情報を第２の表示領域に表示させる表示制御手段と、第１の情報と第２の情報との何れか一方について前記表示手段の表示画面上において表示順序が変更されたときに、同一の画像情報についての第１および第２の情報がそれぞれ第１および第２表示領域において同一の表示順序となるように、他方の表示順序を設定する連動表示制御手段とを備えている構成である。
【０２４６】
上記の構成によれば、画像情報格納領域に格納されている画像情報についての第１の情報と第２の情報とが、表示手段の表示画面に形成された第１の表示領域と第２の表示領域において一覧表示されるので、画像情報の内容の確認が容易となる。
【０２４７】
また、この状態において、例えば何れかの第１の情報の表示順序を変更した場合には、この変更に応じて第２の情報の表示順序が自動的に変更される。即ち、第１の情報の表示順序の変更が、第２の情報の表示順序に自動的に反映される。したがって、使用者の好みにより、第１の情報と第２の情報との何れか一方の表示順序を変更した場合にも、使用者が上記一方に対応する他方の表示順序の変更操作をわざわざ行うことなく、表示画面上において、第１の情報と第２の情報との対応関係を維持することができる。これにより、画像情報処理装置は使い勝手のよいものとなる。
【０２４８】
また、本発明の画像情報処理装置は、表示手段と、画像情報格納手段と、前記画像情報格納手段の画像情報格納領域に格納された複数の画像情報の各々についての各詳細情報、および前記画像情報の少なくとも一部を識別するための各識別用画像を表示手段に表示させる表示制御手段と、前記詳細情報と識別用画像との何れか一方について前記表示手段の表示画面上において表示順序が変更されたときに、同一の画像情報についての詳細情報と識別用画像とがそれぞれ詳細情報と識別用情報との並びにおいて同一の表示順序となるように、他方の表示順序を設定する連動表示制御手段とを備えている構成である。
【０２４９】
上記の構成によれば、画像情報格納領域に格納されている画像情報についての詳細情報と識別用画像とが表示手段において一覧表示されるので、画像情報の内容の確認が容易となる。
【０２５０】
また、この状態において、例えば何れかの詳細情報の表示順序を変更した場合には、この変更に応じて識別用画像の表示順序が自動的に変更される。即ち、詳細情報の表示順序の変更が、識別用画像の表示順序に自動的に反映される。したがって、使用者の好みにより、詳細情報と識別用画像との何れか一方の表示順序を変更した場合にも、使用者が上記一方に対応する他方の表示順序の変更操作をわざわざ行うことなく、表示画面上において、詳細情報と識別用画像との対応関係を維持することができる。これにより、画像情報処理装置は使い勝手のよいものとなる。
【０２５１】
上記の画像情報処理装置は、前記の画像情報格納領域に格納された各画像情報についての管理テーブルを備え、この管理テーブルには前記詳細情報と識別用画像とに共通の表示順序が設定され、前記の連動表示制御手段が、先に行われた一方の表示順序の変更に基づいて上記管理テーブルにおける表示順序を書き替えるとともに、書き替えた表示順序に基づいて表示手段での他方の表示順序を変更する構成であってもよい。
【０２５２】
上記の構成によれば、連動表示制御手段により、先に行われた一方の表示順序の変更に基づいて管理テーブルに設定されている表示順序が書き替えられ、書き替えられた表示順序に基づいて表示手段での表示順序が変更される。したがって、管理テーブルを使用して、詳細情報と識別用画像との表示順序の変更を容易かつ正確に行うことができる。
【０２５３】
上記の画像情報処理装置は、前記詳細情報がこの情報についての複数の項目を含んでおり、前記項目に示される情報に基づいて各詳細情報の表示順序を表示手段の表示画面上において並べ替える項目別並べ替え手段をさらに備えている構成であってもよい。
【０２５４】
上記の構成によれば、項目別並び替え手段により、詳細情報に含まれた複数の項目の何れかに示される情報に基づいて、各詳細情報の表示順序を変更することができる。即ち、例えば詳細情報に画像情報のサイズを示す項目がある場合に、各詳細情報を画像情報のサイズ順、例えばサイズの大きい順序あるいは小さい順序に並べ替えることができる。これにより、使い勝手をさらに向上することができる。
【０２５５】
上記の画像情報処理装置は、入力手段を備え、前記表示制御手段が、前記入力手段からの入力に基づいて前記識別用画像を抽出するとともに、抽出した識別用画像を前記表示手段に表示させる抽出表示制御手段を備えている構成であってもよい。
【０２５６】
上記の構成によれば、抽出表示制御手段により、入力手段からの入力に基づいて識別用画像が抽出され、抽出された識別用画像が表示手段に表示される。即ち、操作者により選択された識別用画像が表示手段に表示される。したがって、表示手段の表示画面上において所望の識別用画像が見つけ易くなり、使い勝手がさらに向上する。
【０２５７】
上記の画像情報処理装置は、入力手段を備え、前記表示制御手段が、前記入力手段からの入力に基づいて詳細情報を抽出するとともに、この抽出動作において抽出されなかった詳細情報を、選択不可の状態に設定し、かつこの状態を示す選択不可表示により前記表示手段に表示させる抽出表示制御手段を備えている構成としてもよい。
【０２５８】
上記の構成によれば、抽出表示制御手段により、入力手段からの入力に基づく詳細情報の抽出動作において抽出されなかった詳細情報が、選択不可の状態に設定され、かつこの状態を示す選択不可表示により前記表示手段に表示される。
【０２５９】
これにより、詳細情報の抽出結果を視覚的に捉えやすくなり、使い勝手をさらに向上することができる。
【０２６０】
上記の画像情報処理装置は、前記抽出表示制御手段が、前記抽出動作において抽出された詳細情報を詳細情報の並びの先頭側位置に表示させ、抽出されなかった詳細情報を詳細情報の並びの後方側位置に表示させる構成としてもよい。
【０２６１】
上記の構成によれば、抽出表示制御手段により、入力手段からの入力に基づく詳細情報の抽出動作において抽出された詳細情報が詳細情報の並びの先頭側位置に表示され、抽出されなかった詳細情報が詳細情報の並びの後方側位置に表示される。これにより、詳細情報の抽出結果を視覚的に捉えやすくなり、使い勝手をさらに向上することができる。
【０２６２】
上記の画像情報処理装置は、前記抽出表示制御手段が、抽出する詳細情報と識別用画像との少なくとも一方を選択するために、前記表示制御手段にて表示された詳細情報を前記入力手段により選択することを可能とする直接選択手段を備えている構成としてもよい。
【０２６３】
上記の構成によれば、直接選択手段により、抽出対象である詳細情報の選択動作を操作者が容易に行うことができる。
【０２６４】
上記の画像情報処理装置は、前記抽出表示制御手段が、前記入力手段により入力された検索条件に基づいて前記詳細情報と識別用画像との少なくとも一方の抽出を行う検索手段を備えている構成としてもよい。
【０２６５】
上記の構成によれば、検索手段により、抽出対象である詳細情報の選択動作を操作者が容易に行うことができる。
【０２６６】
上記の画像情報処理装置は、前記画像情報格納手段に複数の画像情報格納領域が設けられ、前記表示制御手段が、複数の前記画像情報格納領域に格納された複数の画像情報の各々についての各詳細情報および各識別用画像を表示手段に一括表示させる一括表示制御手段を備えている構成であってもよい。
【０２６７】
上記の構成によれば、一括表示制御手段により、複数の画像情報格納領域に格納された複数の画像情報の各々についての各詳細情報および各識別用画像を表示手段に一括表示させることができる。これにより、複数の画像情報格納領域に格納されている複数の画像情報についての詳細情報と識別用画像とを一つの表示画面上において一覧表示できる。したがって、使い勝手をさらに向上することができる。
【０２６８】
上記の画像情報処理装置は、前記表示手段に詳細情報および識別用画像の各表示領域を形成する表示領域形成手段をさらに備え、前記表示制御手段が、前記詳細情報を前記詳細情報表示領域に表示させ、前記識別用画像を前記識別用画像表示領域に表示させる構成であってもよい。
【０２６９】
上記の構成によれば、詳細情報および識別用画像がそれぞれ詳細情報表示領域および識別用画像表示領域に表示される。
【０２７０】
上記の画像情報処理装置は、前記識別用画像が前記画像情報の縮小画像である構成としてもよい。
【０２７１】
上記の構成によれば、識別用画像が画像情報の縮小画像であるので、識別用画像によってその画像情報の内容を容易に認識し、識別することができる。これにより、画像情報処理装置の利便性がさらに向上する。
【０２７２】
本発明の画像情報処理方法は、画像情報の格納領域に格納された複数の画像情報の各々についての各詳細情報、および前記画像情報の少なくとも一部を識別するための各識別用画像を表示手段に表示させる詳細情報・識別用画像表示手順と、前記詳細情報と識別用画像との何れか一方について前記表示手段の表示画面上において表示順序が変更されたときに、同一の画像情報についての詳細情報と識別用画像とがそれぞれ詳細情報と識別用情報との並びにおいて同一の表示順序となるように、他方の表示順序を設定する連動表示手順とを備えている構成である。
【０２７３】
上記の構成によれば、画像情報格納領域に格納されている画像情報についての詳細情報と識別用画像とが表示手段において一覧表示されるので、画像情報の内容の確認が容易となる。
【０２７４】
また、この状態において、例えば何れかの詳細情報の表示順序を変更した場合には、この変更に応じて識別用画像の表示順序が自動的に変更される。即ち、詳細情報の表示順序の変更が、識別用画像の表示順序に自動的に反映される。したがって、使用者の好みにより、詳細情報と識別用画像との何れか一方の表示順序を変更した場合にも、使用者が上記一方に対応する他方の表示順序の変更操作をわざわざ行うことなく、表示画面上において、詳細情報と識別用画像との対応関係を維持することができる。これにより、画像情報についての情報を表示する場合の利便性を向上することができる。
【０２７５】
上記の画像情報処理方法は、前記の画像情報格納領域に格納された各画像情報についての管理テーブルを作成し、この管理テーブルに前記詳細情報と識別用画像とに共通の表示順序を設定し、前記の連動表示手順では、先に行われた一方の表示順序の変更に基づいて上記管理テーブルにおける表示順序を書き替えるとともに、書き替えた表示順序に基づいて表示手段での他方の表示順序を変更する構成であってもよい。
【０２７６】
上記の構成によれば、連動表示手順により、先に行われた一方の表示順序の変更に基づいて管理テーブルに設定されている表示順序が書き替えられ、書き替えられた表示順序に基づいて表示手段での表示順序が変更される。したがって、管理テーブルを使用して、詳細情報と識別用画像との表示順序の変更を容易かつ正確に行うことができる。
【０２７７】
上記の画像情報処理方法は、前記詳細情報がこの情報についての複数の項目を含んでおり、前記項目に示される情報に基づいて各詳細情報の表示順序を表示手段の表示画面上において並べ替える項目別並べ替え手順を備えている構成であってもよい。
【０２７８】
上記の構成によれば、項目別並び替え手順により、詳細情報に含まれた複数の項目の何れかに示される情報に基づいて、各詳細情報の表示順序を変更することができる。即ち、例えば詳細情報に画像情報のサイズを示す項目がある場合に、各詳細情報を画像情報のサイズ順、例えばサイズの大きい順序あるいは小さい順序に並べ替えることができる。これにより、使い勝手をさらに向上することができる。
【０２７９】
上記の画像情報処理方法は、前記詳細情報・識別用画像表示手順が、前記識別用画像を抽出し、抽出した識別用画像を前記表示手段に表示させる抽出表示手順を備えている構成であってもよい。
【０２８０】
上記の構成によれば、抽出表示制御手順により識別用画像が抽出され、抽出された識別用画像が表示手段に表示される。即ち、操作者により選択された識別用画像が表示手段に表示される。したがって、表示手段の表示画面上において所望の識別用画像が見つけ易くなり、使い勝手がさらに向上する。
【０２８１】
上記の画像情報処理方法は、前記詳細情報・識別用画像表示手順が、前記詳細情報を抽出するとともに、この抽出動作において抽出されなかった詳細情報を、選択不可の状態に設定し、かつこの状態を示す選択不可表示により前記表示手段に表示させる抽出表示手順を備えている構成としてもよい。
【０２８２】
上記の構成によれば、抽出表示手順により、詳細情報の抽出動作において抽出されなかった詳細情報が、選択不可の状態に設定され、かつこの状態を示す選択不可表示により前記表示手段に表示される。
【０２８３】
これにより、詳細情報の抽出結果を視覚的に捉えやすくなり、使い勝手をさらに向上することができる。
【０２８４】
上記の画像情報処理方法は、前記抽出表示手順が、前記抽出動作において抽出された詳細情報を詳細情報の並びの先頭側位置に表示させ、抽出されなかった詳細情報を詳細情報の並びの後方側位置に表示させる構成としてもよい。
【０２８５】
上記の構成によれば、抽出表示手順により、詳細情報の抽出動作において抽出された詳細情報が詳細情報の並びの先頭側位置に表示され、抽出されなかった詳細情報が詳細情報の並びの後方側位置に表示される。これにより、詳細情報の抽出結果を視覚的に捉えやすくなり、使い勝手をさらに向上することができる。
【０２８６】
上記の画像情報処理方法は、前記抽出表示手順が、抽出する詳細情報と識別用画像との少なくとも一方を選択するために、前記詳細情報・識別用画像表示手順にて表示された詳細情報を直接選択することを可能とする直接選択手順を備えている構成としてもよい。
【０２８７】
上記の構成によれば、直接選択手順により、抽出対象である詳細情報の選択動作を操作者が容易に行うことができる。
【０２８８】
上記の画像情報処理方法は、前記抽出表示手順が、入力された検索条件に基づいて前記詳細情報と識別用画像との少なくとも一方の抽出を行う検索手順を備えている構成としてもよい。
【０２８９】
上記の構成によれば、検索手順により、操作者が抽出対象である詳細情報の選択動作を容易に行うことができる。
【０２９０】
上記の画像情報処理方法は、前記詳細情報・識別用画像表示手順が、複数の前記画像情報格納領域に格納された複数の画像情報の各々についての各詳細情報および各識別用画像を表示手段に一括表示させる一括表示手順を備えている構成としてもよい。
【０２９１】
上記の構成によれば、一括表示手順により、複数の画像情報格納領域に格納された複数の画像情報の各々についての各詳細情報および各識別用画像を表示手段に一括表示させることができる。これにより、複数の画像情報格納領域に格納されている複数の画像情報についての詳細情報と識別用画像とを一つの表示画面上において一覧表示できる。したがって、使い勝手をさらに向上することができる。
【０２９２】
上記の画像情報処理方法は、前記表示手段に詳細情報および識別用画像の各表示領域を形成する手順をさらに備え、前記詳細情報・識別用画像表示手順が、前記詳細情報を前記詳細情報表示領域に表示させ、前記識別用画像を前記識別用画像表示領域に表示させる構成としてもよい。
【０２９３】
上記の構成によれば、詳細情報および識別用画像がそれぞれ識別用画像表示領域および識別用画像表示領域に表示される。
【０２９４】
上記の画像情報処理方法は、前記識別用画像が前記画像情報の縮小画像である構成としてもよい。
【０２９５】
上記の構成によれば、識別用画像が画像情報の縮小画像であるので、識別用画像によってその画像情報の内容を容易に認識し、識別することができる。これにより、画像情報処理装置の利便性がさらに向上する。
【０２９６】
本発明の記録媒体は、上記の画像情報処理方法を実現するためのプログラムを格納したコンピュータ読み取り可能なものである。また、本発明の伝送媒体は、上記の画像情報処理方法を実現するためのプログラムを伝送するものである。
【図面の簡単な説明】
【図１】本発明の実施の一形態における画像情報処理装置の構成を示すブロック図である。
【図２】図１に示した表示管理テーブルの内容を示す説明図である。
【図３】図１に示した表示部における画像情報の表示形態を示す説明図である。
【図４】図１に示した構成を具体的な手段により示したブロック図である。
【図５】図１に示した画像情報表示管理部による詳細情報表示領域の詳細情報と縮小画像表示領域の縮小画像との連動表示処理を示すフローチャートである。
【図６】図６（ａ）は、図５に示した連動表示処理における、操作者による詳細情報の並べ替え動作を示す説明図、図６（ｂ）は、図６（ａ）に示した並べ替え動作に連動した、縮小画像の並べ替え処理を示す説明図である。
【図７】指定された詳細情報、縮小画像およびフォルダの表示色の反転処理を示す説明図である。
【図８】図１に示した詳細情報項目別並べ替え表示制御部の動作を示すフローチャートである。
【図９】図９（ａ）は、図８に示した詳細情報項目別並べ替え処理における、操作者による詳細情報項目の選択動作を示す説明図、図９（ｂ）は、図９（ａ）に示した選択動作に基づく詳細情報表示領域での詳細情報の並べ替え処理と、これに連動した縮小画像表示領域での縮小画像の並べ替え処理とを示す説明図である。
【図１０】図１に示した抽出表示制御部の直接選択表示制御部による直接表示処理、および検索表示制御部による検索表示処理を示すフローチャートである。
【図１１】図１０に示した直接選択表示処理における表示部での表示状態を示す説明図である。
【図１２】図１０に示した検索表示処理における表示部での表示状態を示す説明図である。
【図１３】図１に示した検索表示制御部による検索表示処理の他の例を示すフローチャートである。
【図１４】図１４（ａ）は、図１に示した連動表示制御部の通常の連動表示動作による表示部での表示状態を示す説明図、図１４（ｂ）は、図１３に示した検索表示制御部の処理を経た場合の表示部での表示状態を示す説明図である。
【図１５】図１に示した直接選択表示制御部による直接選択表示処理の他の例を示すものであって、図１３に示した検索表示処理に対応する処理を示すフローチャートである。
【図１６】図１６（ａ）は、図１に示した連動表示制御部の通常の連動表示動作による表示部での表示状態を示す説明図、図１６（ｂ）は、図１５に示した直接選択表示制御部の処理を経た場合の表示部での表示状態を示す説明図である。
【図１７】図１に示した検索表示制御部による検索表示処理のさらに他の例を示すフローチャートである。
【図１８】図１７に示した処理に使用される表示管理テーブルを示す説明図である。
【図１９】図１９（ａ）は、図１に示した連動表示制御部の通常の連動表示動作による表示部での表示状態を示す説明図、図１９（ｂ）は、図１７に示した検索表示制御部の処理を経た場合の表示部での表示状態を示す説明図である。
【図２０】図１に示した直接選択表示制御部による直接選択表示処理のさらに他の例を示すものであって、図１７に示した検索表示処理に対応する処理を示すフローチャートである。
【図２１】図２１（ａ）は、図１に示した連動表示制御部の通常の連動表示動作による表示部での表示状態を示す説明図、図２１（ｂ）は、図１７に示した直接選択表示制御部の処理を経た場合の表示部での表示状態を示す説明図である。
【図２２】図１に示した検索表示制御部による検索表示処理のさらに他の例を示すフローチャートである。
【図２３】図２２に示した処理に使用される表示管理テーブルを示す説明図である。
【図２４】図２４（ａ）は、図１に示した連動表示制御部の通常の連動表示動作による表示部での表示状態を示す説明図、図２４（ｂ）は、図２２に示した検索表示制御部の処理を経た場合の表示部での表示状態を示す説明図である。
【図２５】図１に示した直接選択表示制御部による直接選択表示処理のさらに他の例を示すものであって、図２２に示した検索表示処理に対応する処理を示すフローチャートである。
【図２６】図２６（ａ）は、図１に示した連動表示制御部の通常の連動表示動作による表示部での表示状態を示す説明図、図２６（ｂ）は、図１７に示した直接選択表示制御部の処理を経た場合の表示部での表示状態を示す説明図である。
【図２７】図１に示した一括表示制御部による一括表示処理、およびこれに続く各種処理を示すフローチャートである。
【図２８】図２７に示した一括表示制御部の一括表示処理による表示部での表示状態を示す説明図である。
【図２９】図２９（ａ）は、上記一括表示処理による表示部での表示状態例を示す説明図、図２９（ｂ）は、直接選択表示処理により図２９（ａ）の状態から表示部での表示状態が変化した様子を示す説明図である。
【図３０】図２８に示した一括表示処理による表示状態において、直接選択表示制御部による直接選択表示処理を行ったときの表示部での表示状態を示す説明図である。
【図３１】図２８に示した一括表示処理による表示状態において、検索表示制御部による検索表示処理を行ったときの表示部での表示状態を示す説明図である。
【図３２】図３２（ａ）は、図２７に示した一括表示処理において、逐次選択動作の場合の一つ目のフォルダを選択したときにおける表示部での表示状態を示す説明図、図３２（ｂ）は同二つ目のフォルダを選択したときにおける表示部での表示状態を示す説明図である。
【図３３】図３３（ａ）は、図２７に示した一括表示処理において、複数同時選択動作の場合の選択フォルダの指定動作における表示部での表示状態を示す説明図、図３３（ｂ）は選択フォルダ指定後の選択実行動作における表示部での表示状態を示す説明図である。
【図３４】図３４（ａ）は、図６に示した縮小画像の一例を示す説明図、図３４（ｂ）は同縮小画像の他の例を示す説明図、図３４（ｃ）は同縮小画像のさらに他の例を示す説明図である。
【図３５】本実施の形態の画像情報処理装置のコンピュータプログラムを伝送するための構成を示すブロック図である。
【符号の説明】
１    入力部（入力手段）
２    画像情報蓄積部（画像情報格納手段）
３    表示部（表示手段）
４    画像情報表示制御部（表示制御手段）
５    画像情報表示設定部（表示制御手段、表示領域形成手段）
６    画像情報表示管理部
１１    検索条件入力部
１２    表示管理テーブル
１３    詳細情報蓄積部
１４    縮小画像蓄積部
１５    詳細情報表示領域（第１の表示領域）
１６    縮小画像表示領域（第２の表示領域）
１７    階層型構造表示領域
１８    抽出表示制御部（抽出表示制御手段）
１９    一括表示制御部（一括表示制御手段）
２０    詳細情報項目別並べ替え表示制御部（項目別並べ替え手段）
２１    直接選択表示制御部（直接選択手段）
２２    検索表示制御部（検索手段）
２３    詳細情報表示設定部
２４    縮小画像表示設定部
２５    階層型構造表示設定部
２６    同時表示制御部
２７    連動表示制御部（連動表示制御手段）
４１    項目選択ボタン
４２    チェックボックス
４３    検索条件入力ボックス
４４    表示ボタン
５１    画像情報格納領域（フォルダ）
５２    詳細情報
５３    縮小画像
７１    ＣＰＵ
７２    メモリ
７３    ディスプレイ
７４    キーボード
７５    ハードディスク
７７    記録媒体
８１    ホストサーバー
８３    ユーザ端末
８４    伝送媒体
【図１】
0003737334.tif 000002
【図２】
0003737334.tif 000003
【図３】
0003737334.tif 000004
【図４】
0003737334.tif 000005
【図５】
0003737334.tif 000006
【図６】
0003737334.tif 000007
【図７】
0003737334.tif 000008
【図８】
0003737334.tif 000009
【図９】
0003737334.tif 000010
【図１０】
0003737334.tif 000011
【図１１】
0003737334.tif 000012
【図１２】
0003737334.tif 000013
【図１３】
0003737334.tif 000014
【図１４】
0003737334.tif 000015
【図１５】
0003737334.tif 000016
【図１６】
0003737334.tif 000017
【図１７】
0003737334.tif 000018
【図１８】
0003737334.tif 000019
【図１９】
0003737334.tif 000020
【図２０】
0003737334.tif 000021
【図２１】
0003737334.tif 000022
【図２２】
0003737334.tif 000023
【図２３】
0003737334.tif 000024
【図２４】
0003737334.tif 000025
【図２５】
0003737334.tif 000026
【図２６】
0003737334.tif 000027
【図２７】
0003737334.tif 000028
【図２８】
0003737334.tif 000029
【図２９】
0003737334.tif 000030
【図３０】
0003737334.tif 000031
【図３１】
0003737334.tif 000032
【図３２】
0003737334.tif 000033
【図３３】
0003737334.tif 000034
【図３４】
0003737334.tif 000035
【図３５】
0003737334.tif 000036